(57)【要約】【課題】ユーザが記録対象の信号形式を意識することなく、ユーザが所望する記録品質に応じた適切な記録形式で自動的に記録する。【解決手段】映像信号又は音声信号（以下「信号」）の形式を信号の品質に応じて分類した複数の形式カテゴリごとに、記録品質に応じた複数の記録モードを定めた記録モード設定情報を記憶する記憶部と；記録対象の信号の形式を判別する形式判別部１０６と；記録モード設定情報に基づいて、判別された形式が属する形式カテゴリに対応する複数の記録モードの中から、ユーザにより選択された記録品質に応じた記録モードを決定する記録モード決定部１０８と；記録対象の信号の形式を上記記録モードに対応する記録形式に変換する形式変換部５０と；変換後の信号を上記記録モードに対応するビットレートでエンコードするエンコード部２０と；エンコード後の信号を記録媒体に記録する記録部６０と；を備えた記録装置が提供される。【選択図】図１
2009038791.tif 000002
【特許請求の範囲】
【請求項１】
映像信号又は音声信号の形式を前記映像信号又は音声信号の品質に応じて分類した複数の形式カテゴリごとに、記録品質に応じた複数の記録モードを定めた記録モード設定情報を記憶する記憶部と；
記録対象の映像信号又は音声信号の形式を判別する形式判別部と；
前記記録モード設定情報に基づいて、前記判別された形式が属する形式カテゴリに対応する複数の記録モードの中から、ユーザにより選択された記録品質に応じて、前記記録対象の映像信号又は音声信号の記録モードを決定する記録モード決定部と；
前記記録対象の映像信号又は音声信号の形式を、前記決定された記録モードに対応する記録形式に変換する形式変換部と；
前記変換後の映像信号又は音声信号を、前記決定された記録モードに対応するビットレートでエンコードするエンコード部と；
前記エンコードされた映像信号又は音声信号を、記録媒体に記録する記録部と；
を備える、記録装置。
【請求項２】
前記記録モード決定部は、前記記録部による記録開始前に、前記記録対象の映像信号又は音声信号の記録モードを決定し、
前記記録部による記録開始から記録終了までの間に、前記記録対象の映像信号又は音声信号の形式が変化する場合でも、前記形式変換部により、前記記録対象の映像信号又は音声信号の形式を、前記記録開始前に決定された記録モードに対応する所定の記録形式に変換して、前記所定の記録形式での記録を継続する、請求項１に記載の記録装置。
【請求項３】
前記形式カテゴリごとに定められた記録モードは、当該形式カテゴリに属する１又は２以上の形式のうち、前記記録装置が対応可能な所定の記録形式に対応しており、
前記形式変換部は、前記記録対象の映像信号又は音声信号の形式を、前記決定された記録モードに対応する前記所定の記録形式に変換する、請求項１に記載の記録装置。
【請求項４】
前記記録モード決定部は、前記記録対象の映像信号又は音声信号の形式が、前記ユーザにより選択された記録品質に適した記録形式に変換されるように、前記ユーザにより選択された記録品質に応じて、前記記録対象の映像信号又は音声信号の形式が属する形式カテゴリ以外の形式カテゴリに対応する複数の記録モードの中から、前記記録対象の映像信号又は音声信号の記録モードを決定する、請求項１に記載の記録装置。
【請求項５】
前記記録対象の映像信号又は音声信号が、少なくともデジタルテレビジョン放送又はＩＰＴＶを含むテレビジョン放送のストリームであり、
前記記録対象の映像信号又は音声信号の記録開始前に、前記形式判別部は、前記テレビジョン放送のストリームから取得した番組情報に基づいて、前記記録対象の映像信号又は音声信号の形式を判別することを特徴とする、請求項１〜４のいずれかに記載の記録装置。
【請求項６】
前記テレビジョン放送の日時指定予約録画を行う場合には、前記形式判別部は、前記番組情報に基づいて、前記日時指定予約録画で指定された時間帯で最も多くの時間を占める番組の映像又は音声信号の形式を判別し、前記記録モード決定部は、当該判別された形式に応じて、前記記録対象の映像信号又は音声信号の記録モードを決定する、請求項５に記載の記録装置。
【請求項７】
前記テレビジョン放送の日時指定予約録画又は番組表予約録画を行う場合には、前記形式判別部は、当該予約録画の設定後に前記番組情報を定期的に確認し、当該予約録画の開始直前に最新の前記番組情報に基づいて、前記記録対象の映像信号又は音声信号の形式を判別し、前記記録モード決定部は、当該判別された形式に応じて、前記記録対象の映像信号又は音声信号の記録モードを決定する、請求項５に記載の記録装置。
【請求項８】
ユーザの録画指示に応じて前記テレビジョン放送で現在放送中の番組を録画する直接録画を行う場合、前記形式判別部は、前記テレビジョン放送で現在放送中の番組の前記番組情報に基づいて、前記記録対象の映像信号又は音声信号の形式を判別し、前記記録モード決定部は、当該判別された形式に応じて、前記記録対象の映像信号又は音声信号の記録モードを決定する、請求項５に記載の記録装置。
【請求項９】
前記直接録画を行う場合、前記形式判別部は、現在時刻が前記現在放送中の番組の次の番組の開始時刻の直前の時間帯であるか否かを判定し、当該直前の時間帯であるとき、前記次の番組の前記番組情報に基づいて、前記記録対象の映像信号又は音声信号の形式を判別し、前記記録モード決定部は、当該判別された形式に応じて、前記記録対象の映像信号又は音声信号の記録モードを決定する、請求項８に記載の記録装置。
【請求項１０】
前記映像信号又は音声信号の形式情報のうち前記番組情報に含まれていない形式情報を保存する形式データベースをさらに備え、
前記形式判別部は、前記形式データベースに含まれる前記形式情報及び前記番組情報に基づき、前記記録対象の映像信号又は音声信号の形式を判別する、請求項５に記載の記録装置。
【請求項１１】
前記テレビジョン放送のストリームをデコードして得られた情報に基づき、前記形式データベースを作成する形式データベース管理部をさらに備え、
次回の前記テレビジョン放送のストリームの記録時に、前記形式判別部は、前記形式データベースに保存された前記形式情報及び前記番組情報に基づき、前記記録対象の映像信号又は音声信号の形式を判別する、請求項１０に記載の記録装置。
【請求項１２】
前記形式データベース管理部は、前記テレビジョン放送の放送局単位で、前記形式データベースを作成し、前記テレビジョン放送の選局タイミングに応じて、前記テレビジョン放送のストリームをデコードして得られた情報に基づき、前記番組情報に含まれていない前記形式情報を判別して、前記形式データベースを更新する、請求項１１に記載の記録装置。
【請求項１３】
前記形式データベース管理部は、前記テレビジョン放送の番組単位で、前記形式データベースを作成し、前記テレビジョン放送の選局タイミング及び番組の切り替わりタイミングに応じて、前記テレビジョン放送のストリームをデコードして得られた情報に基づき、前記番組情報に含まれていない前記形式情報を判別して、前記形式データベースを更新する、請求項１１に記載の記録装置。
【請求項１４】
外部装置から前記形式データベースを取得する形式データベース取得部を更に備える、請求項１０に記載の記録装置。
【請求項１５】
前記番組情報に含まれていない前記形式情報は、前記映像信号の水平方向の画サイズ情報を含む、請求項１０に記載の記録装置。
【請求項１６】
前記記録モード設定情報は、
前記映像信号の形式を前記映像信号の画サイズに応じて分類した複数の映像形式カテゴリごとに、前記映像信号の記録品質に応じた複数の映像記録モードを定めた映像記録モード設定情報と、
前記音声信号の形式を前記音声信号のチャンネル数に応じて分類した複数の音声形式カテゴリごとに、前記音声信号の記録品質に応じた複数の音声記録モードを定めた音声記録モード設定情報と、
を含み、
前記形式判別部は、前記記録対象の映像信号の画サイズと、前記記録対象の音声信号のチャンネル数とをそれぞれ判別し、
前記記録モード決定部は、
前記映像記録モード設定情報に基づいて、前記判別された記録対象の映像信号の画サイズが属する映像形式カテゴリに対応する複数の映像記録モードの中から、ユーザにより選択された記録品質に応じて、前記記録対象の映像信号の映像記録モードを決定するとともに、前記音声記録モード設定情報に基づいて、前記判別された記録対象の音声信号のチャンネル数が属する音声形式カテゴリに対応する複数の音声記録モードの中から、ユーザにより選択された記録品質に応じて、前記記録対象の音声信号の音声記録モードを選択する、請求項１に記載の記録装置。
【請求項１７】
前記記録モード設定情報は、
前記映像信号の形式を前記映像信号の画サイズに応じて分類した複数の映像形式カテゴリごとに、前記映像信号の記録品質に応じた複数の映像記録モードを定めた映像記録モード設定情報と、
前記音声信号の形式を前記音声信号のチャンネル数に応じて分類した複数の音声形式カテゴリごとに、音声記録モードを定めた音声記録モード設定情報と、
を含み、
前記形式判別部は、前記記録対象の映像信号の画サイズと、前記記録対象の音声信号のチャンネル数とをそれぞれ判別し、
前記記録モード決定部は、
前記映像記録モード設定情報に基づいて、前記判別された記録対象の映像信号の画サイズが属する映像形式カテゴリに対応する複数の映像記録モードの中から、ユーザにより選択された記録品質に応じて、前記記録対象の映像信号の映像記録モードを決定するとともに、前記音声記録モード設定情報に基づいて、前記判別された記録対象の音声信号のチャンネル数が属する音声形式カテゴリに対応する音声記録モードを決定する、請求項１に記載の記録装置。
【請求項１８】
記録対象の映像信号又は音声信号の形式を判別する形式判別ステップと；
映像信号又は音声信号の形式を前記映像信号又は音声信号の品質に応じて分類した複数の形式カテゴリごとに、記録品質に応じた複数の記録モードを定めた記録モード設定情報に基づいて、前記判別された形式が属する形式カテゴリに対応する複数の記録モードの中から、ユーザにより選択された記録品質に応じて、前記記録対象の映像信号又は音声信号の記録モードを決定する記録モード決定ステップと；
前記記録対象の映像信号又は音声信号の形式を、前記決定された記録モードに対応する記録形式に変換する形式変換ステップと；
前記変換後の映像信号又は音声信号を、前記決定された記録モードに対応するビットレートでエンコードするエンコードステップと；
前記エンコードされた映像信号又は音声信号を、記録媒体に記録する記録ステップと；
を含む、記録方法。
【請求項１９】
コンピュータに：
記録対象の映像信号又は音声信号の形式を判別する形式判別ステップと；
映像信号又は音声信号の形式を前記映像信号又は音声信号の品質に応じて分類した複数の形式カテゴリごとに、記録品質に応じた複数の記録モードを定めた記録モード設定情報に基づいて、前記判別された形式が属する形式カテゴリに対応する複数の記録モードの中から、ユーザにより選択された記録品質に応じて、前記記録対象の映像信号又は音声信号の記録モードを決定する記録モード決定ステップと；
前記記録対象の映像信号又は音声信号の形式を、前記決定された記録モードに対応する記録形式に変換する形式変換ステップと；
前記変換後の映像信号又は音声信号を、前記決定された記録モードに対応するビットレートでエンコードするエンコードステップと；
前記エンコードされた映像信号又は音声信号を、記録媒体に記録する記録ステップと；
を実行させるためのプログラム。
【発明の詳細な説明】
【技術分野】
【０００１】
本発明は、記録装置、記録方法及びプログラムに関し、特に、相異なる複数の形式の映像信号又は音声信号を記録媒体に所定の記録形式で記録する記録装置に関する。
【背景技術】
【０００２】
近年、テレビジョン放送の番組などの映像・音声デジタルデータを記録可能なデジタル記録機器として、例えば、デジタルビデオ装置、ＤＶＤ（Ｄｉｇｉｔａｌ  Ｖｅｒｓａｔｉｌｅ  Ｄｉｓｋ）レコーダ、ＨＤＤ（Ｈａｒｄ  Ｄｉｓｋ  Ｄｒｉｖｅ）レコーダなどが普及している。これらのデジタル記録機器では、入力された映像／音声信号を、各々の記録媒体が対応するデジタル記録フォーマットに合わせて再エンコードした上で、該記録媒体に記録する。例えば、ＤＶＤレコーダやＨＤＤレコーダ等では、ＤＶＤ−Ｖｉｄｅｏフォーマット等が採用されており、外部入力されたＤＶ（Ｄｉｇｉｔａｌ  Ｖｉｄｅｏ）方式の画像を記録する際には、ＤＶ方式の画像データを一旦デコードした後に、ＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）プログラムストリーム（ＰＳ方式）に変換して記録する。また、ＢＳデジタル放送等で使用されているＭＰＥＧ２トランスポートストリーム（ＴＳ方式）に対応したＢｌｕ−Ｒａｙディスク等を用いた記録機器では、入力されたアナログ地上波放送の画像データを、ＴＳ方式に変換して記録する。
【０００３】
かかるデジタル記録器機で画像データの記録を行う場合、記憶容量の限られた記録媒体を効率良く使用するために、例えばＭＰＥＧなどのエンコード技術を用いて、データ圧縮（エンコード）が行われる。このエンコード時には、例えば、データの転送レート（ビットレート）が低いほど、間引かれる情報量が多くなり画質は低下するが、画像データのサイズを小さくでき、長時間録画が可能となる。一方、データの転送レートが高いほど、間引かれる情報量が少なくなり画質は向上するが、画像データのサイズは大きくなり、録画時間は短くなる。
【０００４】
従って、ユーザは、放送番組の録画を行う場合、録画予約設定時などに所望の記録品質（画質）に対応するビットレートを選択・設定する。例えば、ニュース番組、情報番組、語学番組などあまり画質が問われない番組については低画質（低ビットレート）、ドラマ番組などある程度の画質が要求される番組については標準画質（中ビットレート）、映画番組、音楽番組、スポーツ中継番組のように臨場感などが求められる番組については高画質（高ビットレート）を選択して設定する（例えば、特許文献１参照。）。
【０００５】
【特許文献１】特開２００１−２８５８０１号公報
【発明の開示】
【発明が解決しようとする課題】
【０００６】
ところで、近年では、従来のアナログ方式の地上波放送、ＢＳ放送と比べて、高精細な画像を提供可能なデジタル方式のＨＤＴＶ（Ｈｉｇｈ  Ｄｅｆｉｎｉｔｉｏｎ  ＴｅｌｅＶｉｓｉｏｎ：高精細テレビジョン）放送が普及している。しかしながら、従来の民生用のデジタル記録機器では、ＨＤＴＶ放送の番組を、ＨＤ（Ｈｉｇｈ  Ｄｅｆｉｎｉｔｉｏｎ）解像度のまま記録するためには、入力された映像ストリームをビットレート変換せずにそのまま記録する「ストリームそのまま記録」にしか対応していなかった。このため、ビットレート変換して長時間記録するためには、ＨＤ解像度の映像ストリームをＳＤ（Ｓｔａｎｄａｒｄ  Ｄｅｆｉｎｉｔｉｏｎ）解像度にリサイズして記録するしかなかった。この理由は、これまでＨＤ解像度に対応可能なエンコーダが、依然として高価であり、技術的にも未成熟であったからである。ただし、記録機器に入力される映像信号がいかなる形式であっても、ビットレート変換可能な記録形式はＳＤ解像度しかないことから、ユーザにとっては、記録品質（ビットレート）の選択及び設定操作が比較的単純で、わかり易かった。なお、上記ではＨＤ映像とＳＤ映像の記録について説明したが、これは音声の記録形式、例えば、２チャンネル記録とマルチチャンネル記録に置き換えても同様である。
【０００７】
ところが今後、民生用のデジタル記録機器に、ＨＤ解像度でのビットレート変換に対応可能なエンコーダが、導入されるのは近く確実である。これにより、ＳＤ解像度のみならず、ＨＤ解像度の映像ストリームをも、ビットレート変換して記録可能になるというメリットがある。一方で、入力メディアや放送番組の内容、外部機器の種類などによって異なる多様な形式の映像／音声信号が記録装置に入力される場合には、それらの信号を記録可能な形式が大幅に増加してしまう。このため、ユーザにとっては、多様な入力ソースからの多様な入力形式の映像／音声信号を記録するための操作や概念が、非常に煩雑になりかねない。
【０００８】
つまり、高性能のエンコーダを備えたデジタル記録器機では、多様な形式（例えば、多様な画像解像度、音声チャンネル数）の映像／音声入力信号を、多様な記録品質（ビットレート）で自由に記録できるようになる。反面、ユーザは、記録対象の映像／音声入力信号の形式を判別した上で、その形式に応じて所望の記録品質を選択しなければならず、記録時の選択操作が非常に複雑かつ煩雑なものとなってしまう。特に、デジタル記録技術についての知識が少ないユーザにとっては、入力映像・音声の多様な形式を判別できず、記録形式やビットレート（記録品質）を如何に設定すれば、所望の品質で記録できるかが分からない。このため、ユーザは、所望する最適な品質での記録を簡単に行うことができなくなってしまう。
【０００９】
そこで、本発明は、上記問題に鑑みてなされたものであり、本発明の目的とするところは、多様な形式の映像／音声信号を記録可能な記録装置において、ユーザが記録対象の映像／音声信号の形式を意識することなく、ユーザが所望する記録品質に応じた適切な記録形式で記録対象の映像／音声信号を自動的に記録することが可能な、新規かつ改良された記録装置、記録方法及びプログラムを提供することにある。
【課題を解決するための手段】
【００１０】
上記課題を解決するために、本発明のある観点によれば、相異なる複数の形式の映像信号又は音声信号を記録媒体に記録可能な記録装置であって：前記映像信号又は音声信号の形式を前記映像信号又は音声信号の品質に応じて分類した複数の形式カテゴリごとに、記録品質に応じた複数の記録モードを定めた記録モード設定情報を記憶する記憶部と；記録対象の映像信号又は音声信号の形式を判別する形式判別部と；前記記録モード設定情報に基づいて、前記判別された形式が属する形式カテゴリに対応する複数の記録モードの中から、ユーザにより選択された記録品質に応じて、前記記録対象の映像信号又は音声信号の記録モードを決定する記録モード決定部と；前記記録対象の映像信号又は音声信号の形式を、前記決定された記録モードに対応する記録形式に変換する形式変換部と；前記変換後の映像信号又は音声信号を、前記決定された記録モードに対応するビットレートでエンコードするエンコード部と；前記エンコードされた映像信号又は音声信号を、前記記録媒体に記録する記録部と；を備えることを特徴とする、記録装置が提供される。記録装置は、相異なる複数の形式の映像信号又は音声信号を記録媒体に記録可能な記録装置であってもよい。
【００１１】
かかる構成により、形式判別部により、記録対象の映像信号又は音声信号の形式が判別される。次いで、記録モード決定部により、記録モード設定情報に基づいて、判別された形式が属する形式カテゴリが決定され、該形式カテゴリについて定められた複数の記録モードの中から、ユーザにより選択された記録品質に対応する記録モードが決定される。この結果、データ記録時には、記録装置に入力された記録対象の映像信号又は音声信号は、形式変換部により、上記決定された記録モードに対応する記録形式に変換され、エンコード部により、上記決定された記録モードに対応するビットレートでエンコードされて、記録部により、記録媒体に記録される。これにより、記録装置は、記録対象の映像信号又は音声信号の形式に適した記録形式を自動的に判別して変換し、ユーザ所望の記録品質で記録媒体に記録できる。従って、記録装置は、ユーザに対して記録対象の映像／音声信号の形式を意識させることなく、ユーザが所望する記録品質に応じた適切な記録形式で記録対象の映像／音声信号を自動的に記録できる。
【００１２】
また、前記記録モード決定部は、前記記録部による記録開始前に、前記記録対象の映像信号又は音声信号の記録モードを決定し、前記記録部による記録開始から記録終了までの間に、前記記録対象の映像信号又は音声信号の形式が変化する場合でも、前記形式変換部により、前記記録対象の映像信号又は音声信号の形式を、前記記録開始前に決定された記録モードに対応する所定の記録形式に変換して、前記所定の記録形式での記録を継続するようにしてもよい。
【００１３】
また、前記形式カテゴリごとに定められた記録モードは、当該形式カテゴリに属する１又は２以上の形式のうち、前記記録装置が対応可能な所定の記録形式に対応しており、前記形式変換部は、前記記録対象の映像信号又は音声信号の形式を、前記決定された記録モードに対応する前記所定の記録形式に変換するようにしてもよい。かかる構成により、記録装置は、記録装置が対応可能な記録形式のうち、記録対象の映像信号又は音声信号の形式が属する形式カテゴリに対応する所定の記録形式を決定し、記録対象の映像信号又は音声信号の形式と、当該所定の記録形式が異なる場合には、記録対象の映像信号又は音声信号の形式を当該所定の記録形式に自動的に変換した上で、記録媒体に記録できる。
【００１４】
また、前記記録モード決定部は、前記記録対象の映像信号又は音声信号の形式が、前記ユーザにより選択された記録品質に適した記録形式に変換されるように、前記ユーザにより選択された記録品質に応じて、前記記録対象の映像信号又は音声信号の形式が属する形式カテゴリ以外の形式カテゴリに対応する複数の記録モードの中から、前記記録対象の映像信号又は音声信号の記録モードを決定するようにしてもよい。かかる構成により、ユーザによって選択された記録品質（ビットレート）が、記録対象の映像信号又は音声信号の記録に不適切である場合（例えば、ＨＤ映像信号を低ビットレートで記録する場合）には、記録対象の映像信号又は音声信号の形式が属する形式カテゴリの記録モードの代わりに、上記記録品質に適した他の形式カテゴリの記録モードを選択して、当該記録モードに従って記録する。これにより、記録対象の映像信号又は音声信号の記録形式を、ユーザにより選択された記録品質に適した記録形式に自動的に修正して記録できる。
【００１５】
また、前記記録対象の映像信号又は音声信号が、少なくともデジタルテレビジョン放送又はＩＰＴＶを含むテレビジョン放送のストリームであり、前記記録対象の映像信号又は音声信号の記録開始前に、前記形式判別部は、前記テレビジョン放送のストリームから取得した番組情報に基づいて、前記記録対象の映像信号又は音声信号の形式を判別するようにしてもよい。かかる構成により、記録対象のストリーム自体ではなく、当該ストリームの記録前に予め、番組情報に基づいて、当該ストリームの形式を判別できる。よって、記録対象のストリームの前に、異なる形式の入力がある場合でも、記録対象のストリームの形式を正しく判別できる。
【００１６】
さらに、前記テレビジョン放送の日時指定予約録画を行う場合には、前記形式判別部は、前記番組情報に基づいて、前記日時指定予約録画で指定された時間帯で最も多くの時間を占める番組の映像又は音声信号の形式を判別し、前記記録モード決定部は、当該判別された形式に応じて、前記記録対象の映像信号又は音声信号の記録モードを決定するようにしてもよい。日時指定予約録画で指定された時間帯で占有時間が最も長い番組は、ユーザが記録を所望する番組である。よって、上記時間帯に含まれる複数の番組のうち、ユーザが記録を所望する番組の形式に適した記録モードを選択して、記録できるようになる。
【００１７】
さらに、前記テレビジョン放送の日時指定予約録画又は番組表予約録画を行う場合には、前記形式判別部は、当該予約録画の設定後に前記番組情報を定期的に確認し、当該予約録画の開始直前に最新の前記番組情報に基づいて、前記記録対象の映像信号又は音声信号の形式を判別し、前記記録モード決定部は、当該判別された形式に応じて、前記記録対象の映像信号又は音声信号の記録モードを決定するようにしてもよい。かかる構成により、最新の番組情報を用いて、日時指定予約録画又は番組表予約録画による録画対象の番組の映像信号又は音声信号の形式を正確に判別できる。
【００１８】
また、ユーザの録画指示に応じて前記テレビジョン放送で現在放送中の番組を録画する直接録画を行う場合、前記形式判別部は、前記テレビジョン放送で現在放送中の番組の前記番組情報に基づいて、前記記録対象の映像信号又は音声信号の形式を判別し、前記記録モード決定部は、当該判別された形式に応じて、前記記録対象の映像信号又は音声信号の記録モードを決定するようにしてもよい。かかる構成により、直接録画の場合であっても、記録対象の映像信号又は音声信号の形式を判別して、当該形式に適した記録モードを選択できる。
【００１９】
さらに、前記直接録画を行う場合、前記形式判別部は、現在時刻が前記現在放送中の番組の次の番組の開始時刻の直前の時間帯であるか否かを判定し、当該直前の時間帯であるとき、前記次の番組の前記番組情報に基づいて、前記記録対象の映像信号又は音声信号の形式を判別し、前記記録モード決定部は、当該判別された形式に応じて、前記記録対象の映像信号又は音声信号の記録モードを決定するようにしてもよい。かかる構成により、ユーザが、録画を所望する番組の直前であって別番組等の放送中に、記録装置に直接録画を指示した場合でも、当該所望する番組の映像信号又は音声信号の形式を判別して、当該形式に適した記録モードを選択できる。
【００２０】
また、前記記録モード設定情報は、前記映像信号の形式を前記映像信号の画サイズに応じて分類した複数の映像形式カテゴリごとに、前記映像信号の記録品質に応じた複数の映像記録モードを定めた映像記録モード設定情報と、前記音声信号の形式を前記音声信号のチャンネル数に応じて分類した複数の音声形式カテゴリごとに、前記音声信号の記録品質に応じた複数の音声記録モードを定めた音声記録モード設定情報と、を含み、前記形式判別部は、前記記録対象の映像信号の画サイズと、前記記録対象の音声信号のチャンネル数とをそれぞれ判別し、前記記録モード決定部は、前記映像記録モード設定情報に基づいて、前記判別された記録対象の映像信号の画サイズが属する映像形式カテゴリに対応する複数の映像記録モードの中から、ユーザにより選択された記録品質に応じて、前記記録対象の映像信号の映像記録モードを決定するとともに、前記音声記録モード設定情報に基づいて、前記判別された記録対象の音声信号のチャンネル数が属する音声形式カテゴリに対応する複数の音声記録モードの中から、ユーザにより選択された記録品質に応じて、前記記録対象の音声信号の音声記録モードを選択するようにしてもよい。
【００２１】
また、前記記録モード設定情報は、前記映像信号の形式を前記映像信号の画サイズに応じて分類した複数の映像形式カテゴリごとに、前記映像信号の記録品質に応じた複数の映像記録モードを定めた映像記録モード設定情報と、前記音声信号の形式を前記音声信号のチャンネル数に応じて分類した複数の音声形式カテゴリごとに、音声記録モードを定めた音声記録モード設定情報と、を含み、前記形式判別部は、前記記録対象の映像信号の画サイズと、前記記録対象の音声信号のチャンネル数とをそれぞれ判別し、前記記録モード決定部は、前記映像記録モード設定情報に基づいて、前記判別された記録対象の映像信号の画サイズが属する映像形式カテゴリに対応する複数の映像記録モードの中から、ユーザにより選択された記録品質に応じて、前記記録対象の映像信号の映像記録モードを決定するとともに、前記音声記録モード設定情報に基づいて、前記判別された記録対象の音声信号のチャンネル数が属する音声形式カテゴリに対応する音声記録モードを決定するようにしてもよい。
【００２２】
前記映像信号又は音声信号の形式情報のうち前記番組情報に含まれていない形式情報を保存する形式データベースをさらに備え、前記形式判別部は、前記形式データベースに含まれる前記形式情報及び前記番組情報に基づき、前記記録対象の映像信号又は音声信号の形式を判別するようにしてもよい。かかる構成により、形式判別部は、形式データベースに基づいて、映像信号又は音声信号の形式情報のうち、番組情報に含まれていない形式情報も判別できる。
【００２３】
前記テレビジョン放送のストリームをデコードして得られた情報に基づき、前記形式データベースを作成する形式データベース管理部をさらに備え、次回の前記テレビジョン放送のストリームの記録時に、前記形式判別部は、前記形式データベースに保存された前記形式情報及び前記番組情報に基づき、前記記録対象の映像信号又は音声信号の形式を判別するようにしてもよい。かかる構成により、形式データベース管理部は、テレビジョン放送のストリームを実際にデコードして得られた情報から、番組情報に含まれていない形式情報を取得して、形式データベースを作成・更新できる。
【００２４】
前記形式データベース管理部は、前記テレビジョン放送の放送局単位で、前記形式データベースを作成し、前記テレビジョン放送の選局タイミングに応じて、前記テレビジョン放送のストリームをデコードして得られた情報に基づき、前記番組情報に含まれていない前記形式情報を判別して、前記形式データベースを更新するようにしてもよい。かかる構成により、形式データベース管理部は、テレビジョン放送のストリームを選局するたびに、選局されたチャンネルの形式情報を取得して、形式データベースを更新できる。
【００２５】
前記形式データベース管理部は、前記テレビジョン放送の番組単位で、前記形式データベースを作成し、前記テレビジョン放送の選局タイミング及び番組の切り替わりタイミングに応じて、前記テレビジョン放送のストリームをデコードして得られた情報に基づき、前記番組情報に含まれていない前記形式情報を判別して、前記形式データベースを更新するようにしてもよい。かかる構成により、形式データベース管理部は、テレビジョン放送のストリームを選局するたび、及び、選局されたチャンネルの番組が切り替わるたびに、選局されたチャンネルにおける現在の番組の形式情報を取得して、形式データベースを更新できる。
【００２６】
外部装置から前記形式データベースを取得する形式データベース取得部を更に備えるようにしてもよい。かかる構成により、記録装置内で形式データベースを作成しなくとも、形式データベースを取得できる。
【００２７】
前記番組情報に含まれていない前記形式情報は、前記映像信号の水平方向の画サイズ情報を含むようにしてもよい。かかる構成により、入力されたストリームの水平方向の画サイズ情報に応じて、当該ストリームをエンコードして記録できる。
【００２８】
また、上記課題を解決するために、本発明の別の観点によれば、記録対象の映像信号又は音声信号の形式を判別する形式判別ステップと；映像信号又は音声信号の形式を前記映像信号又は音声信号の品質に応じて分類した複数の形式カテゴリごとに、記録品質に応じた複数の記録モードを定めた記録モード設定情報に基づいて、前記判別された形式が属する形式カテゴリに対応する複数の記録モードの中から、ユーザにより選択された記録品質に応じて、前記記録対象の映像信号又は音声信号の記録モードを決定する記録モード決定ステップと；前記記録対象の映像信号又は音声信号の形式を、前記決定された記録モードに対応する記録形式に変換する形式変換ステップと；前記変換後の映像信号又は音声信号を、前記決定された記録モードに対応するビットレートでエンコードするエンコードステップと；前記エンコードされた映像信号又は音声信号を、記録媒体に記録する記録ステップと；を含むことを特徴とする、記録方法が提供される。
【００２９】
また、上記課題を解決するために、本発明の別の観点によれば、コンピュータに：記録対象の映像信号又は音声信号の形式を判別する形式判別ステップと；映像信号又は音声信号の形式を前記映像信号又は音声信号の品質に応じて分類した複数の形式カテゴリごとに、記録品質に応じた複数の記録モードを定めた記録モード設定情報に基づいて、前記判別された形式が属する形式カテゴリに対応する複数の記録モードの中から、ユーザにより選択された記録品質に応じて、前記記録対象の映像信号又は音声信号の記録モードを決定する記録モード決定ステップと；前記記録対象の映像信号又は音声信号の形式を、前記決定された記録モードに対応する記録形式に変換する形式変換ステップと；前記変換後の映像信号又は音声信号を、前記決定された記録モードに対応するビットレートでエンコードするエンコードステップと；前記エンコードされた映像信号又は音声信号を、記録媒体に記録する記録ステップと；を実行させるためのプログラムが提供される。なお、かかるプログラムは、コンピュータを備える記録装置に、記録媒体を介して提供されてもよいし、ネットワーク等の通信媒体を介して提供されてもよい。
【発明の効果】
【００３０】
以上説明したように本発明によれば、多様な形式の映像／音声信号を記録可能な記録装置において、ユーザが記録対象の映像／音声信号の形式を意識することなく、ユーザが所望する記録品質に応じた適切な記録形式で記録対象の映像／音声信号を自動的に記録することができる。
【発明を実施するための最良の形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
まず、本明細書で使用する用語について定義する。
・「映像信号／音声信号の形式」は、映像信号／音声信号の品質に関連する形式である。例えば、映像信号の形式は画サイズであり、音声信号の形式はチャンネル数である。
・「画サイズ」は、映像信号の解像度を表す画像のサイズである。例えば、ＨＤ映像の画サイズは、垂直方向の走査線数と操作方式を表す「１０８０ｉ」、「７２０ｐ」などであり、ＳＤ映像の画サイズは、垂直方向の走査線数と操作方式を表す「４８０ｐ」、「４８０ｉ」などである。
・「入力ソース」は、記録装置に入力される記録対象の映像信号／音声信号を表す。この入力ソースは、例えば、ＨＤＴＶ、ＩＰＴＶ等のテレビジョン放送のチューナーからの入力ストリームのみならず、イーサネット（登録商標）等のネットワーク、各種の入力端子を介した外部機器からの入力信号や、記録媒体から読み出した信号など、各種の入力信号を含む。
・「記録形式」は、映像信号／音声信号を記録媒体に記録するときの形式である。この記録形式は、記録媒体が対応する記録フォーマットに依存する。
・「形式カテゴリ」は、映像信号又は音声信号の各種の形式を、映像信号又は音声信号の品質に応じて分類した部類である。例えば、映像の場合、高画質のＨＤ映像の各種形式が含まれるＨＤカテゴリと、低画質のＳＤ映像の各種形式が含まれるＳＤカテゴリとを設定できる。
・「記録モード」は、映像信号又は音声信号の記録形式と、映像信号又は音声信号をエンコードするときのビットレート（転送レート）とを定めた情報である。なお、ビットレートは、記録品質に対応している。
【００３３】
（第１の実施形態）
まず、本発明の第１の実施形態にかかる記録装置の概要について説明する。第１の実施形態にかかる記録装置は、例えば、放送番組等の映像又は音声信号を記録媒体に対して記録／再生可能な記録再生装置として構成される。即ち、この記録装置は、外部から入力された映像／音声を光ディスク又はハードディスク等の記録媒体に記録する機能（録画機能）と、当該記録媒体に記録された映像・音声データを再生する機能（再生機能）とを有する。この記録装置は、例えば、光ディスクを記録媒体とする光ディスクレコーダと、ハードディスクを記録媒体とするＨＤＤレコーダとの複合機として構成できる（図１参照。）。
【００３４】
本実施形態にかかる記録装置では、外部から入力される多様な形式の映像／音声信号（以下「入力ソース」）を所定の記録形式に変換して記録媒体に記録する。この記録媒体は、対応可能な記録形式（記録フォーマット）が定められているので、記録装置は、当該記録媒体の対応する記録形式に合うように入力ソースの形式を変換して記録する。このとき、記録装置は、記録開始前に予め、入力ソースの形式情報を例えば番組情報などから取得して保持しており、記録開始時には、かかる形式情報に基づいて入力ソースの形式を判別する。そして、記録装置は、判別した入力ソースの形式（例えば、画サイズ：４８０ｐ）が、記録媒体が対応可能な１又は２以上の記録形式に該当しない場合には、当該記録形式の中から、入力ソースの形式に最も類似する記録形式を選択し、入力ソースの形式を当該記録形式に自動的に変換して記録する。これにより、ユーザは、記録品質を指定するだけの簡単な操作で、入力メディアや番組等に依存して変化する入力形式を意識せずに、ユーザ所望の最適な記録形式で入力ソースの映像／音声を記録できるようになる。以下に、かかる特徴を実現するための、本実施形態にかかる記録装置の構成について説明する。
【００３５】
次に、図１を参照して、本実施形態にかかる記録装置１０のハードウェア構成について説明する。図１は、本実施形態にかかる記録装置１０の構成を示すブロック図である。なお、図１中の「Ａ」は音声信号を、「Ｖ」は映像信号を示す。
【００３６】
図１に示すように、記録装置１０は、アナログチューナー１１と、Ａ／Ｄ変換器１２と、アナログ入力端子１３と、ＤＶ入力端子１４と、ＤＶデコーダ１５と、デジタルチューナー１６と、ｉ．ＬＩＮＫ端子１７と、ＵＳＢ端子１８と、通信部１９と、ＡＶエンコーダ２０と、ストリームプロセッサ３０と、ＡＶデコーダ４０と、スケーラ（ｓｃａｌｅｒ）５２と、オーディオプロセッサ５４と、ハードディスクドライブ（ＨＤＤ）６２と、光ディスクドライブ６４と、グラフィック処理部７０と、ディスプレイ処理部７２と、Ｄ／Ａ変換器７４と、ＣＰＵ（Ｃｅｎｔｒａｌ  Ｐｒｏｃｅｓｓｉｎｇ  Ｕｎｉｔ）８０と、ＲＯＭ（Ｒｅａｄ  Ｏｎｌｙ  Ｍｅｍｏｒｙ）８２と、ＲＡＭ（Ｒａｎｄｏｍ  Ａｃｃｅｓｓ  Ｍｅｍｏｒｙ）８４と、ユーザインタフェース８６とを備える。
【００３７】
アナログチューナー１１は、アナログ放送用のアンテナ１で受信した放送電波から、目的のチャンネルを選局し、そのチャンネルの電波の復調処理を行って、受信信号（映像及び音声のアナログ信号）を生成する。さらに、アナログチューナー１１は、この受信信号に対して、例えば中間周波の増幅処理、色信号の分離、色差信号の生成、同期信号の抽出などといった所定の映像信号処理を行って、映像信号を出力できる。Ａ／Ｄ変換器１２は、上記アナログチューナー１１やアナログ入力端子１３等から入力された映像及び音声のアナログ信号を所定のサンプリング周波数でデジタル信号に変換して、ＡＶエンコーダ２０に出力する。なお、アナログ入力端子１３には、外部機器２から、映像及び音声のアナログ信号が入力される。また、ＤＶ入力端子１４には、ＤＶ方式のデジタルビデオカメラ等の外部機器３から、映像及び音声のＤＶ信号が入力される。ＤＶデコーダ１５は、このＤＶ信号をデコードしてＡＶエンコーダ２０に出力する。
【００３８】
デジタルチューナー１６は、衛生又は地上デジタル放送用のアンテナ４で受信した電波から、目的のチャンネルを選局し、そのチャンネルの映像及び音声のデジタルデータ（ビットストリーム）をストリームプロセッサ３０に出力する。また、ｉ．ＬＩＮＫ端子１７、ＵＳＢ端子１８等の外部入力端子には、ＨＤＶ（Ｈｉｇｈ  Ｄｅｆｉｎｉｔｉｏｎ  Ｖｉｄｅｏ）方式のデジタルビデオカメラ等の外部機器５、６が接続される。この外部機器５からＩＥＥＥ１３９４方式で転送された映像及び音声のＨＤＶ信号（ストリーム）が、ｉ．ＬＩＮＫ端子１７を介してストリームプロセッサ３０に入力される。通信部１９は、イーサネット（登録商標）７等のＩＰネットワークを介して、外部装置（図示せず。）との間で各種データを送受信する。例えば、通信部１９は、イーサネット７等を介して配信されるＩＰＴＶ（Ｉｎｔｅｒｎｅｔ  Ｐｒｏｔｏｃｏｌ  Ｔｅｌｅｖｉｓｉｏｎ）の番組の映像及び音声信号を受信して、ストリームプロセッサ３０に出力する。
【００３９】
ＡＶエンコーダ２０は、エンコード部の一例として構成されたハードウェアである。このＡＶエンコーダ２０は、上述のＡ／Ｄ変換器１２、ＤＶデコーダ１５、後述のスケーラ５２、オーディオプロセッサ５４等から入力された映像及び音声のデジタル信号を、所定の記録形式に圧縮符号化するエンコード処理を行う。このＡＶエンコーダ２０は、ＨＤ映像及びＳＤ映像に対応可能な高性能のエンコーダであり、ＳＤ解像度の映像信号のみならず、ＨＤ解像度の映像信号もエンコード可能である。また、このＡＶエンコーダ２０は、ステレオ音声及びマルチチャンネル音声に対応可能なエンコーダであり、２チャンネルの音声信号のみならず、マルチチャンネルの音声信号もエンコード可能である。かかるＡＶエンコーダ２０は、映像／音声信号をエンコードしたデータ（ビットストリーム）を、ストリームプロセッサ３０に出力する。
【００４０】
ストリームプロセッサ３０は、データの記録時又は再生時に、記録対象又は再生対象のデータ（ストリーム）に対して所定のデータ処理を行う。例えば、データ記録時には、ストリームプロセッサ３０は、上記ＡＶエンコーダ２０でエンコードされた圧縮データを多重化（Ｍｕｌｔｉｐｌｅｘ）及び暗号化して、バッファ制御しつつ、ＨＤＤ６２又は光ディスクドライブ６４の記録媒体に記録する。また、データ再生時には、ストリームプロセッサ３０は、ＨＤＤ６２又は光ディスクドライブ６４の記録媒体から読み出された圧縮データを、暗号解読及び分離化（ＤｅＭｕｌｔｉｐｌｅｘ）してＡＶデコーダ４０に出力する。
【００４１】
ＡＶデコーダ４０は、デコード部の一例として構成されたハードウェアである。このＡＶデコーダ４０は、ストリームプロセッサ３０から入力された映像及び音声の圧縮データを伸張するデコード処理を行う。
【００４２】
上記のようなＡＶエンコーダ２０及びＡＶデコーダ４０で用いる圧縮符号化方式（コーデックタイプ）として、映像については、例えば、ＭＰＥＧ２、Ｈ．２６４（ＡＶＣ：Ａｄｖａｎｃｅｄ  Ｖｉｄｅｏ  Ｃｏｄｉｎｇ）、ＶＣ１等を使用できる、また、音声については、例えば、Ｄｏｌｂｙ  ＡＣ３、ＭＰＥＧ２  ＡＡＣ（Ａｄｖａｎｃｅｄ  Ａｕｄｉｏ  Ｃｏｄｉｎｇ）、ＬＰＣＭ（Ｌｉｎｅａｒ  Ｐｕｌｓｅ  Ｃｏｄｅ  Ｍｏｄｕｌａｔｉｏｎ）等を使用できる。
【００４３】
また、記録装置１０には、上記のように多様な形式の映像／音声信号が入力される。この映像信号の形式（画サイズ）としては、映像の品質に応じて、例えば、「４８０ｉ」、「４８０ｐ」、「７２０ｐ」、「１０８０ｉ」、「１０８０ｐ」等がある。例えば、「１０８０ｉ」は、垂直方向の有効走査線が１０８０本（総走査線が１１２５本）であり、飛び越し走査(インターレーススキャン)方式で、フレームレートが「３０フレーム／秒」で送信される映像信号を表す（解像度：「１９２０×１０８０」若しくは「１４４０×１０８０」ピクセル）。また、「７２０ｐ」は、垂直方向の有効走査線が７２０本(総走査線が７５０本)であり、順次走査(プログレッシブスキャン）方式で、フレームレートが「６０フレーム／秒」で送信される映像信号を表す（解像度；「１２８０×７２０」若しくは「９６０×１０８０」ピクセル）。これらの映像信号の形式のうち、「４８０ｉ」及び「４８０ｐ」等の映像信号は、走査線本数が少なく低解像度のＳＤ映像の形式カテゴリ（以下「ＳＤカテゴリ」）に分類される。一方、「７２０ｐ」、「１０８０ｉ」及び「１０８０ｐ」等の映像信号は、走査線本数が多く高解像度のＨＤ映像の形式カテゴリ（以下「ＨＤカテゴリ」）に分類される。
【００４４】
また、音声信号の形式（チャンネル数）としては、例えば、「１ＣＨ」、「２ＣＨ」、「５．１ＣＨ」、「６．１ＣＨ」、「７．１ＣＨ」、「４ＣＨ」、「５ＣＨ」、「６ＣＨ」等がある。例えば、「５．１ＣＨ」は、視聴者の正面、右前方、左前方、右後方、左後方に配されるスピーカと、低音出力用サブウーファースピーカ（ＬＦＥ：Ｌｏｗ  Ｆｒｅｑｕｅｎｃｙ  Ｅｆｆｅｃｔ）とからなる６つのスピーカから出力されるマルチチャンネルの音声信号を表す。これらの音声信号形式のうち、「１ＣＨ（モノラル）」及び「２ＣＨ（ステレオ）」等の音声信号は、チャンネル数が比較的少ない低音質のステレオ音声の形式カテゴリ（以下「ステレオカテゴリ」）に分類される。一方、「５．１ＣＨ」、「６．１ＣＨ」、「７．１ＣＨ」、「４ＣＨ」、「５ＣＨ」及び「６ＣＨ」等の音声信号は、チャンネル数が比較的多く高音質のマルチチャンネル音声の形式カテゴリ（以下「マルチチャンネルカテゴリ」）に分類される。
【００４５】
また、一般的に、ＡＶデコーダは、各種の放送や記録媒体（光ディスク等）の種類に応じて異なる全ての映像／音声形式（フォーマット）に対応できるように設計される。一方、ＡＶエンコーダは、一部の任意の映像／音声形式（フォーマット）にのみ対応できるように設計される。本実施形態にかかる記録装置１０も同様に、システムの制約により、記録装置１０のハードウェアが対応可能な映像／音声信号の形式（ＡＶエンコーダ２０が変換可能な形式）が、形式カテゴリごとに所定の記録形式に限定されている。具体的には、ＡＶエンコーダ２０は、映像信号の所定の記録形式として、例えば、ＨＤ映像については「１０８０ｉ」、ＳＤ映像については「４８０ｉ」のみに対応している。つまり、入力映像信号の形式が、上記ＨＤカテゴリに属する「７２０ｐ」、「１０８０ｉ」、「１０８０ｐ」等の多様な形式であっても、所定の記録形式「１０８０ｉ」を用いて記録する必要がある。また、ＡＶエンコーダ２０は、音声信号の所定の記録形式として、例えば、マルチチャンネル音声については「５．１ＣＨ」、ステレオ音声については「２ＣＨ」のみに対応している。
【００４６】
このように、形式カテゴリごとに所定の記録形式のみに対応可能な記録装置１０では、入力された映像／音声信号の多様な形式を、形式カテゴリごとに分類して当該所定の記録形式に変換する必要がある。そこで、本実施形態にかかる記録装置１０では、入力された映像／音声信号の形式を所定の記録形式に変換する形式変換部として、次のようなスケーラ５２（映像形式変換部）とオーディオプロセッサ５４（音声形式変換部）を備えている。
【００４７】
スケーラ５２は、ＣＰＵ８０からの指示に基づいて、ＡＶデコーダ４０から入力された映像信号の形式を所定の記録形式に変換（即ち、画サイズを調整）する。例えば、ＨＤカテゴリに属する「７２０ｐ」、「１０８０ｐ」等の形式の映像信号が入力された場合には、スケーラ５２は、これらの映像信号を、記録装置１０が対応可能なＨＤカテゴリの所定の記録形式「１０８０ｉ」に変換する。かかるスケーラ５２は、画サイズを変換した映像信号をＡＶエンコーダ２０に出力する。このようにスケーラ５２は、従来のスケーラのようにＨＤ映像とＳＤ映像との間（異なる映像形式カテゴリ間）での画サイズ変換機能のみならず、同一の映像形式カテゴリ内に属する多様な形式間での画サイズ変換機能（例えば、ＨＤカテゴリ内で「７２０ｐ」から「１０８０ｉ」に変換する機能）をも有する。
【００４８】
オーディオプロセッサ５４は、ＣＰＵ８０からの指示に基づいて、ＡＶデコーダ４０から入力された音声信号の形式を所定の記録形式に変換（即ち、チャンネル数を変更）する。例えば、マルチチャンネルカテゴリに属する「７．１ＣＨ」、「４ＣＨ」、「５ＣＨ」等の形式の映像信号が入力された場合には、オーディオプロセッサ５４は、これらの音声信号を、記録装置１０が対応可能なマルチチャンネルカテゴリの所定の記録形式「５．１ＣＨ」に変換する。かかるオーディオプロセッサ５４は、チャンネル数を変換した音声信号をＡＶエンコーダ２０に出力する。このように、オーディオプロセッサ５４は、異なる音声形式カテゴリ間でのチャンネル数変換機能のみならず、同一の音声形式カテゴリ内に属する多様な形式間でのチャンネル数変換機能（例えば、マルチチャンネルカテゴリ内で「５ＣＨ」から「５．１ＣＨ」に変換する機能）をも有する。
【００４９】
ハードディスクドライブ（ＨＤＤ）６２は、記録媒体であるハードディスクに対して、各種の情報を書き込み／読み出しする。ストリームプロセッサ３０から入力された映像／音声信号のストリームを、記録媒体であるハードディスクに記録する。また、ＨＤＤ６２は、ハードディスクに記録されているデータを読み出して、ストリームプロセッサ３０に出力する。同様に、光ディスクドライブ６４も、記録媒体である光ディスクに対して、各種の情報を書き込み／読み出しする。このように、ＨＤＤ６２及び光ディスクドライブ６４は、記録媒体に映像又は音声等の各種のデータを記録する記録部の一例として構成されている。しかし、記録部は、かかる例に限定されず、記録媒体としては、例えば、ハードディスク等の磁気ディスク、又は、次世代ＤＶＤ（Ｂｌｕ−Ｒａｙディスク等）、ＤＶＤ−Ｒ、ＤＶＤ−ＲＷ、ＤＶＤ−ＲＡＭ若しくは光磁気ディスク等の光ディスク、又は、フラッシュメモリ等の各種の半導体メモリなど、任意の記録媒体を使用できる。また、記録媒体は、記録装置１０に内蔵される記録媒体であってもよいし、記録装置１０に着脱可能な記録媒体であってもよい。
【００５０】
グラフィック処理部７０は、データ再生時に、記録装置１０の動作設定や動作状況を示す表示データや、字幕などを生成し、これらの表示データや字幕を、ＡＶデコーダ４０から入力された映像に重畳（オーバレイ）する。ディスプレイ処理部７２は、グラフィック処理部７０で生成された合成映像や音声に対して、出力形式に応じて画サイズや音声チャンネル数などを整形する処理を施す。さらに、Ｄ／Ａ変換器７４は、この映像又は音声のデジタル信号をアナログ信号に変換して、モニタ８又はスピーカ９に出力する。
【００５１】
ＣＰＵ８０は、演算処理装置および制御装置として機能し、記録装置１０内の各装置を制御する。このＣＰＵ８０は、ＲＯＭ８２に記憶されているプログラム、或いは、ＨＤＤ６２又は光ディスクドライブ６４等の記録装置からＲＡＭ８４にロードされたプログラムに従って、ＲＡＭ８４を使用しながら、各種の処理を実行する。ＲＯＭ８２は、ＣＰＵ８０が使用するプログラムや、その実行において適宜変化するパラメータ等を記憶する。
【００５２】
ユーザインタフェース８６は、ユーザが記録装置１０に対して各種の指示を入力するための入力部として機能する。このユーザインタフェース８６は、例えば、ボタン、スイッチ、レバー等のキーや、タッチパネル、リモートコントローラなどの操作手段と、この操作手段に対する入力操作に応じて入力信号を生成してＣＰＵ８０に出力する入力制御回路などから構成されている。記録装置１０のユーザは、このユーザインタフェース８６を操作することにより、記録装置１０に対して各種のデータを入力したり、処理動作を指示したりすることができる。
【００５３】
次に、図１に示した記録装置１０の記録動作について説明する。まず、外部から入力されたアナログ信号をエンコードして記録媒体に記録する場合の手順を説明する。
【００５４】
例えば、アナログテレビジョン放送をアンテナ１で受信した場合、アナログチューナー１１から出力されたアナログ映像信号及びアナログ音声信号は、Ａ／Ｄ変換器１２でデジタル化される。次いで、当該デジタル映像信号及び音声信号は、ＡＶエンコーダ２０でエンコード処理されて、ビットストリームに変換され、さらに、ストリームプロセッサ３０で多重化及び暗号化されて、バッファ制御されながら、ＨＤＤ６２又は光ディスクドライブ６４の記録媒体に記録される。
【００５５】
なお、ここでは、入力信号としてアナログチューナー１１から出力されたアナログ信号を記録する例を挙げて説明したが、その他にも、例えば、（１）入力信号が外部機器２からアナログ入力端子１３を介して入力された外部アナログ入力信号である場合や、（２）ＤＶ方式のデジタルビデオカメラ等の外部機器３からＤＶ入力端子１４を介して入力されたＤＶ信号を、ＤＶデコーダ１５でデコードして取り込む場合なども、同様の手順となる。
【００５６】
次に、外部から入力されたデジタル信号(ビットストリーム)を、デコードした後に、記録媒体が対応するデジタル記録フォーマットに合わせて再エンコードして記録する場合の手順を説明する。
【００５７】
まず、例えばデジタルテレビジョン放送をアンテナ４で受信した場合、デジタルチューナー１６から出力されたビットストリームは、ストリームプロセッサ３０により、スクランブル解除、及び、映像信号と音声信号とに分離化されて、ＡＶデコーダ４０に入力される。次いで、ＡＶデコーダ４０にて、デジタル映像信号及びデジタル音声信号はデコードされる。さらに、デコードされたデジタル映像信号は、必要に応じて、スケーラ５２で所定の画サイズにリサイズ（形式変換）されて、ＡＶエンコーダ２０に入力される。一方、デコードされたデジタル音声信号は、必要に応じて、オーディオプロセッサ５４で所定のチャンネル数に変換されて、ＡＶエンコーダ２０に入力される。その後は、上記の形式変換後のデジタル映像／音声信号は、上述したアナログ信号の場合と同様に、ＡＶエンコーダ２０でエンコード処理され（再エンコード処理）、次いで、ストリームプロセッサ３０で多重化及び暗号化されて、バッファ制御されつつ、ＨＤＤ６２又は光ディスクドライブ６４の記録媒体に記録される。
【００５８】
このように、記録対象の入力信号が圧縮符号化されたデジタル信号（ストリーム）である場合には、ＡＶデコーダ４０でストリームデータに一旦デコードして、スケーラ５２やオーディオプロセッサ５４で形式変換した後に、ＡＶエンコーダ２０で、記録装置１０が対応可能な所定の記録形式に再エンコードして記録する。
【００５９】
なお、ここでは、デジタルチューナー１６から出力されたデジタル放送の映像／音声信号を記録する例を挙げて説明したが、その他にも例えば、（１）入力信号が、ＨＤＶビデオカメラ等の外部機器５からｉ．ＬＩＮＫ端子１７を介して入力されたストリーム（ＨＤＶ信号）である場合や、（２）イーサネット７及び通信部１９を介して受信したＩＰＴＶの入力ストリームである場合、（３）外部からＨＤＤ６２等にダイレクト記録（例えば、ＵＳＢ端子１８を介して接続された外部機器６からの入力ストリームや、受信したデジタル放送のＨＤ映像ストリームをＨＤＤ６２の記録媒体にダイレクト記録（そのまま記録）した場合）されたストリームを読み出した場合、（４）光ディスクドライブ６４の光ディスクから読み出されたストリームである場合なども、同様の手順となる。
【００６０】
次に、参考までに記録装置１０における再生の手順について説明する。まず、ＨＤＤ６２又は光ディスクドライブ６４の記録媒体に記録されている映像／音声ストリームが読み出され、ストリームプロセッサ３０で暗号解除されて、映像ストリームと音声ストリームとに分離化される。次いで、この映像ストリームと音声ストリームはそれぞれ、ＡＶデコーダ４０にてデコード処理（伸張処理）を施された後に、グラフィック処理部７０で、映像にＯＳＤ（オン・スクリーン・ディスプレイ）や字幕などを付加される。さらに、この映像及び音声ストリームは、ディスプレイ処理部７２で出力形式に応じて画サイズやチャンネル数などが整形された後に、Ｄ／Ａ変換器７４にてアナログ信号に変換されて、モニタ８やスピーカ９等の外部機器に出力される。
【００６１】
次に、本実施形態にかかる記録装置１０の特徴である入力信号の記録形式の判別及び変換処理について説明する。図１に示した記録装置１０内の各部は、制御部であるＣＰＵ８０により制御される。ＣＰＵ８０は、ユーザインタフェース８６に対するユーザ入力を受け付けると、このユーザ入力に基づいて、記録モードや再生モード等のモード遷移を制御したり、放送番組の予約録画の設定を行ったりする。
【００６２】
本実施形態にかかる記録装置１０では、上記のように多様な形態で入力される記録対象の映像／音声信号（入力ソース）の形式情報を、デジタルテレビジョン放送の番組情報等から記録前に予め入手しておき、この形式情報に基づいて、入力ソースの形式を判別して、記録装置１０が対応可能な記録形式のうち、上記判別された形式に最も近い記録形式を決定する。そして、入力ソースの記録時には、入力ソースの形式を上記決定された記録形式に自動的に変換して、記録媒体に記録する。かかる処理の手順について以下に説明する。
【００６３】
ストリームプロセッサ３０は、デジタルチューナー１６で現在受信中のデジタルテレビジョン放送のトランスポートストリーム（Ｔａｎｓｐｏｒｔ  Ｓｔｒｅａｍ：以下「ＴＳ」）に含まれるサービス情報（Ｓｅｒｖｉｃｅ  Ｉｎｆｏｒｍａｔｉｏｎ：以下「ＳＩ」）などから、番組情報Ｃ１２を定期的に抽出して、ＣＰＵ８０に送出し、ＣＰＵ８０はこの番組情報のデータベースを作成・管理する。この番組情報Ｃ１２は、例えば、電子番組表（Ｅｌｅｃｔｒｏｎｉｃ  Ｐｒｏｇｒａｍ  Ｇｕｉｄｅ：以下「ＥＰＧ」）であり、デジタルチューナー１６で受信されるＴＳに含まれるＳＩのＥＩＴ（Ｅｖｅｎｔ  Ｉｎｆｏｒｍａｔｉｏｎ  Ｔａｂｌｅ）情報から作成可能である。
【００６４】
ＣＰＵ８０は、上記番組情報Ｃ１２に含まれる各番組の映像／音声信号の形式情報に基づいて、記録対象の映像／音声信号の最適な記録形式を記録開始前に予め判断することができる。さらに、ＣＰＵ８０は、記録対象の映像／音声信号の実際の記録時には、制御信号Ｃ１３によりスケーラ５２、オーディオプロセッサ５４及びＡＶエンコーダ２０を制御して、上記判断した記録形式で所望の記録を実現する。また、当該データ記録時には、ＣＰＵ８０は、ＡＶデコーダ４０から随時実際のデコード情報Ｃ１１を入手できるので、このデコード情報Ｃ１１を用いて、リアルタイムにスケーラ５２やオーディオプロセッサ５４を制御することにより、ＡＶエンコーダ２０への入力を補正することが可能となる。
【００６５】
ここで、さらに図２を参照して、本実施形態にかかる記録装置１０の機能構成について詳細に説明する。図２は、本実施形態にかかる記録装置１０の構成を概略的に示す機能ブロック図である。
【００６６】
図２に示すように、上記のＡＶデコーダ４０は、デコード部に相当し、ストリームプロセッサ３０から入力された記録対象のデジタル映像信号又は音声信号（映像／音声の圧縮データのストリーム）をデコードする。上記のスケーラ５２及びオーディオプロセッサ５０は、形式変換部５０に相当し、記録対象の映像信号又は音声信号の形式を、ＣＰＵ８０により決定された記録モードに対応する記録形式に変換する。上記のＡＶエンコーダ２０は、エンコード部に相当し、形式変換部５０による変換後の映像信号又は音声信号を、ＣＰＵ８０により決定された記録モードに対応するビットレートでエンコードする。上記のＨＤＤ６２及び光ディスクドライブ６４は、記録部６０に相当し、エンコード部によりエンコードされた映像信号又は音声信号を、記録媒体に記録する。
【００６７】
また、上記のＣＰＵ８０、ＲＯＭ８２及びＲＡＭ８４は制御部に相当する。このＣＰＵ８０は、例えばＲＯＭ８２に記憶されているプログラムに従って動作することで、番組情報管理部１００、予約録画部１０２、計時部１０４、形式判別部１０６、記録モード決定部１０８、記録制御部１１０として機能する。また、上記のＲＯＭ８２、ＲＡＭ８４、ＨＤＤ６２、光ディスクドライブ６４、又は、不図示の不揮発性メモリ等の記憶装置は、番組情報データベース１２０、予約録画情報１２２、記録モード設定情報１２４を記憶するための記憶部として機能する。以下、ＣＰＵ８０の各部について説明する。
【００６８】
番組情報管理部１００は、例えばテレビジョン放送の番組情報Ｃ１２を取得し、番組情報データベース１２０を作成及び管理する。この番組情報管理部１００は、例えば、上記のデジタルチューナー１６からストリームプロセッサ３０に入力されるデジタルＨＤＴＶ放送又はＩＰＴＶのＴＳから、ＳＩに含まれる番組情報Ｃ１２（例えばＥＰＧ情報）を定期的に取得する。番組情報管理部１００は、取得した番組情報Ｃ１２に基づいて、番組情報データベース１２０を最新の内容に更新する。この番組情報Ｃ１２には、放送番組のタイトル、放送時間、チャンネル、番組内容の情報等に加え、放送番組のストリームの映像／音声信号の形式情報（例えば、映像の画サイズ情報や、音声のチャンネル数情報など）が含まれている。
【００６９】
予約録画部１０２は、上記のユーザインタフェース８６に対するユーザ入力に基づいて、ユーザの所望する番組の予約録画を設定し、予約録画情報１２２として記憶する。この予約録画には、例えば、ユーザが指定したチャンネル及び時間帯の番組を予約録画する日時指定予約録画、ユーザがＥＰＧ等の番組表に基づいて指定した番組を予約録画する番組表予約録画、などが含まれる。また、予約録画の設定情報である予約録画情報１２２には、例えば、予約録画対象の放送チャンネル、録画開始時刻、録画終了時刻、番組情報、ユーザの選択した記録品質（記録時のビットレートに相当する。）などが含まれる。
【００７０】
計時部１０４は、現在時刻を計時し、現在時刻情報を予約録画部１０２や形式判別部１０６などに提供する。
【００７１】
形式判別部１０６は、記録対象の映像信号又は音声信号（入力ソース）の形式（例えば、映像信号の画サイズ、音声信号のチャンネル数）を判別する。例えば、入力ソースが、デジタルＴＶ放送（例えば、デジタルＨＤＴＶ放送、ＩＰＴＶ入力）である場合には、形式判別部１０６は、上記番組情報ＤＢ１２０に記憶されている番組情報に含まれる形式情報に基づいて、当該入力ソースの形式を判別する。例えば、予約録画された番組を記録する場合、形式判別部１０６は、上記の予約録画情報１２２から予約録画対象の番組の情報を取得し、この番組の形式情報を上記の番組情報ＤＢ１２０から取得して、形式判別を行う。
【００７２】
また、形式判別部１０６は、記録対象の入力ソースの入力方式に基づいて、記録対象の入力ソースの形式を判別することもできる。例えば、記録対象の入力ソースが、アナログチューナー１１から入力されるアナログＴＶ放送の入力信号、アナログ入力端子１３からライン入力される入力信号、又は、ＤＶ入力端子１４から入力されるＤＶ信号である場合には、形式判別部１０６は、記録対象の映像信号はＳＤ映像の形式（例えば「４８０ｉ」）であると判別する。また、記録対象の入力ソースが、ｉ．ＬＩＮＫ端子１７から入力されるＨＤＶ信号、ＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）又はＢｌｕ−ｒａｙ  Ｄｉｓｋ（ＨＤ）規格に対応した記録媒体からのダビング入力である場合などには、記録対象の映像信号は、ＨＤ映像の形式（例えば「１０８０ｉ」）であると判別する。
【００７３】
形式判別部１０６は、上記入力ソースの形式の判別時には、記録対象の映像信号の画サイズと、記録対象の音声信号のチャンネル数とをそれぞれ判別してもよいし、或いは、映像信号の画サイズ又は音声信号のチャンネル数のいずれか一方のみを判別してもよい。形式判別部１０６は、上記のようにして判別した入力ソースの形式を、記録モード決定部１０８に出力する。
【００７４】
記録モード決定部１０８は、記録モード設定情報１２４に基づいて、上記形式判別部１０６により判別された記録対象の映像／音声信号（入力ソース）の形式が属する形式カテゴリに対応する複数の記録モードの中から、ユーザにより選択された記録品質に対応する記録モードを選択して、記録対象の映像／音声信号の記録モードを決定する。記録モード設定情報１２４は、形式カテゴリごとに複数の記録モードを定めた情報である。形式カテゴリは、入力ソースの品質に応じて各種の入力ソースの形式を分類したカテゴリであり、例えば、映像については上述のＨＤカテゴリとＳＤカテゴリなどを設定でき、音声については上述のマルチチャンネルカテゴリとステレオカテゴリカテゴリなどを設定できる。記録モードは、映像／音声信号の記録形式と、ユーザにより選択可能な記録品質に対応するエンコード時のビットレート（転送レート）との組み合わせを定めた情報である。
【００７５】
ここで、図３〜図５を参照して、本実施形態にかかる記録モード設定情報１２４と、この記録モード設定情報１２４に基づく記録モードの決定処理について詳細に説明する。図３は、本実施形態にかかる映像記録モード設定情報を示す説明図である。図４は、本実施形態にかかる音声記録モード設定情報を示す説明図である。図５は、本実施形態の変更例にかかる映像及び音声記録モード設定情報を示す説明図である。
【００７６】
図３〜図５に示すように、記録モード設定情報１２４は、各種の映像信号又は音声信号の形式を分類した複数の形式カテゴリごとに、ユーザにより選択される記録品質に応じた複数の記録モードを定めた情報である。この記録モード設定情報１２４は、例えば、図３に示す映像記録モード設定情報と、図４に示す音声記録モード設定情報とを含む。
【００７７】
まず、図３を参照して、映像記録モード設定情報の例について説明する。図３に示すように、映像記録モード設定情報は、入力ソースの映像信号の形式を当該映像信号の画サイズに応じて分類した複数の映像形式カテゴリ（例えばＨＤカテゴリ、ＳＤカテゴリなど）ごとに、映像信号の記録品質に応じた複数の映像記録モード（ＨＤ２〜４、ＳＤ１〜４など）をそれぞれ設定した情報である。
【００７８】
図３の例では、映像ソースの形式カテゴリとして、画質（解像度）に応じてＨＤカテゴリとＳＤカテゴリとからなる２つの映像形式カテゴリが定められている。高画質のＨＤカテゴリには、映像信号の形式として「１０８０ｐ」、「１０８０ｉ」、「７２０ｐ」等が含まれ、低画質のＳＤカテゴリには、映像信号の形式として「４８０ｐ」、「４８０ｉ」等が含まれている。
【００７９】
かかるＨＤカテゴリとＳＤカテゴリごとに、記録品質（ビットレート）に応じた複数の映像記録モード「ＨＤ２〜４」、「ＳＤ１〜４」が定められている。１つの映像記録モードには、１つの記録形式と１つのビットレートが関連づけられている。つまり、図３の下段に示すように、各記録モード「ＨＤ２〜４」、「ＳＤ１〜４」についてそれぞれ、記録形式である画サイズと、記録時のビットレートとが一意に設定されている。例えば、記録モード「ＨＤ４」では、記録対象の映像信号を記録するときの記録形式（画サイズ）が「１０８０ｉ」であり、ビットレートが「１６Ｍｂｐｓ」に設定されている。
【００８０】
また、図３に示す映像記録モード設定情報のテーブルにおいて、行方向のレベル１〜４は、ユーザにより選択される記録品質（録画品質）のレベルを表す。この記録品質のレベルは、記録対象の映像信号を記録する際のエンコード処理におけるビットレート（転送レート）に相当する。かかる記録品質のレベルが高い方が高画質録画可能な高ビットレートでの記録を表し、レベルが低い方が長時間録画可能な低ビットレートでの記録を表している。図３の例では、４段階のレベル１〜４が設定されており、それぞれ長時間録画（レベル１）、標準画質録画（レベル２）、高画質録画（レベル３）、超高画質録画（レベル４）を表す。
【００８１】
ユーザは、予約録画時又は直接録画時などにおいて、かかる記録品質のレベル１〜４を選択可能となっている。例えば、ユーザは、ニュース番組、情報番組、語学番組などあまり画質が問われない番組については低レベルの記録品質（低ビットレート）、ドラマ番組などある程度の画質が要求される番組については標準レベルの記録品質（中ビットレート）、映画番組、音楽番組のように臨場感などが求められる番組や、スポーツ中継番組などのように被写体の動きが激しい番組については高レベルの記録品質（高ビットレート）を選択することができる。
【００８２】
従来の記録装置においても、ユーザは、録画時に記録品質を選択することができた。しかし、この記録品質の選択操作は、１つの記録形式での記録、例えば、ＳＤ解像度での記録についてのみ選択・設定可能なものであった。これに対して、本実施形態のようにＨＤ解像度とＳＤ解像度のそれぞれについて相異なる記録モードが複数設定されているときに、ユーザが記録モードを手動で選択する場合を想定する。この場合には、ユーザが入力ソースの形式（例えば、記録対象の映像信号の画サイズ）をいちいち判断しなければならず、選択作業が複雑かつ煩雑であり、そもそも時間的にかなり先のデジタル放送の番組の予約録画時には、入力ソースの形式がわからないこともある。また、記録モード数が多いため、操作も煩雑であり、記録方式に不慣れなユーザが所望の記録モードを選択できない可能性も高い。
【００８３】
そこで、本実施形態にかかる記録装置１０では、入力ソース（記録対象の映像信号／音声信号）の形式の判別処理を、上記形式判別部１０６が自動的に行うようにしている。さらに、記録モード決定部１０８は、形式判別部１０６により判別された入力ソースの形式が属する形式カテゴリ（ＨＤカテゴリ又はＳＤカテゴリ）を決定する。そして、記録モード決定部１０８は、図３に示す映像記録モード設定情報を参照して、上記決定した形式カテゴリに対応する複数の映像記録モードの中から、ユーザにより選択された記録品質のレベルに対応する映像記録モードを自動的に選択して、入力ソースの映像記録モードを決定する。例えば、入力ソースの映像がＨＤカテゴリに属し、ユーザが記録品質レベル４を選択したときには、記録モード決定部１０８は、当該入力ソースの映像の記録モードを、映像記録モード「ＨＤ４」に決定する。このように、入力ソースの形式に対応する記録モードを自動的に決定することで、ユーザは、図３に示す記録品質のレベル（ビットレート）の設定だけ行えばよく、記録操作が簡便になる。この記録品質のレベルとは、言い換えれば記録可能時間であるので、ユーザにとっては非常にシンプルでわかり易い操作となる。
【００８４】
また、図３の例では、ＨＤカテゴリとＳＤカテゴリとの間で、記録品質のレベル１〜４ごとに同一のビットレート（記録時間に相当する。）の記録モードが設定されている。例えば、記録品質レベル４に対応する記録モード「ＨＤ４」と「ＳＤ４」は、共に「１６Ｍｂｐｓ」のビットレートに設定されている。このため、低ビットレート（例えば２Ｍｂｐｓ）でＨＤ映像を記録した場合、ＨＤ映像の画サイズでは画質的に破綻する可能性が想定される。
【００８５】
そこで、本実施形態では、ユーザにより選択された記録品質（ビットレート）が、記録対象の映像信号（例えばＨＤ映像）の記録にとって不適切である場合には、記録モード決定部１０８は、記録対象の映像信号の形式が、ユーザにより選択された記録品質に適した記録形式に自動的に修正されるように、記録モードを決定する。つまり、ユーザにより選択された記録品質が低ビットレート条件である場合には、記録モード決定部１０８は、記録対象のＨＤ映像信号の形式が属するＨＤカテゴリの記録モードの代わりに、当該ＨＤカテゴリよりも低品質のＳＤカテゴリに対応する複数の記録モードの中から、ユーザにより選択された記録品質に応じた記録モードを選択し、記録対象のＨＤ映像信号の記録モードとする。
【００８６】
詳細には、図３の映像記録モード設定情報では、ビットレートが低すぎて画質破綻を起こす恐れがあるため、ＨＤカテゴリの最低の記録品質（レベル１）の記録モード「ＨＤ１」は設定されていない。入力ソースがＨＤ映像信号であり、かつ、ユーザが最低の記録品質レベル１を選択した場合（本来、記録モード「ＨＤ１」が選択されるべきケース）には、記録モード決定部１０８は、当該ＨＤ映像信号が属するＨＤカテゴリの記録モード「ＨＤ１」の代わりに、ＳＤカテゴリの最低の記録品質の記録モード「ＳＤ１」を強制的に選択する。この結果、入力されたＨＤ映像信号をＳＤ映像の形式（画サイズ）に自動的に変換して、ユーザ所望の低ビットレートで長時間録画できる。このようにすることで、ＨＤ映像に不適切な低ビットレートでの記録がユーザにより選択された場合は、ＨＤ映像信号を、低ビットレートでの記録に適したＳＤ映像の画サイズに自動的に変換して記録できる。このため、高画質のＨＤ映像信号を、当該ＨＤ映像信号に不適切な低ビットレートで記録しないようにして、記録された映像の画質破綻を防止できる。
【００８７】
また、図３の下段の記録モードの例では、同一の映像形式カテゴリに関する複数の記録モードでは、映像信号の記録形式は、入力された映像信号の形式などに関わらず所定の記録形式に固定されている。例えば、入力されたＨＤ映像信号の形式が如何なる形式（例えば、「１０８０ｐ」、「１０８０ｉ」、「７２０ｐ」など）であったとしても、記録モード設定情報で定められたＨＤカテゴリに関する全ての記録モード「ＨＤ２〜４」の記録形式は、所定の記録形式（例えば「１０８０ｉ」）に統一されている。また、ＳＤカテゴリの全ての記録モード「ＳＤ１〜４」の記録形式は、所定の記録形式（例えば「４８０ｉ」）に統一されている。これは、記録装置１０の記録媒体が当該所定の記録形式に対応可能であり、また、記録装置１０自身が当該所定の記録形式のみに対応可能に設計されているためである。このように形式カテゴリごとに全ての記録モードの記録形式を統一設定しておくことで、同一の形式カテゴリに属する映像信号は全て、記録装置１０の記録媒体が対応可能な所定の記録形式（例えば「１０８０ｉ」又は「４８０ｉ」）で記録することができる。なお、記録媒体は、同一の形式カテゴリに属する１又は２以上の記録形式に対応可能であってもよい。例えば、Ｂｌｕ−Ｒａｙディスクは、ＨＤカテゴリとして、「１０８０ｉ」のみならず、「７２０ｐ」又は「１０８０ｐ」などにも対応可能に構成することもできる。また、記録装置１０自身が対応可能な記録形式については、上記のように形式カテゴリごとに１つの記録形式に制限（例えばＨＤカテゴリでは「１０８０ｉ」のみに対応）すれば、記録装置１０のスペックを抑制して安価に製造できるというメリットがある。しかし、かかる例に限定されず、記録装置１０自身も同一カテゴリに属する複数の記録形式（例えば、「１０８０ｐ」、「１０８０ｉ」及び「７２０ｐ」）に対応可能に構成してもよい。
【００８８】
次に、図４を参照して、音声記録モード設定情報の例について説明する。図４に示すように、音声記録モード設定情報は、音声信号の形式を音声信号のチャンネル数に応じて分類した複数の音声形式カテゴリ（例えば、マルチチャンネルカテゴリ、ステレオカテゴリなど）ごとに、音声信号の記録品質に応じた複数の音声記録モード（ｍｕｌｔｉ１〜３、Ｓｔｅｒｅｏ１〜３など）をそれぞれ設定した情報である。
【００８９】
図４の例では、音声ソースの形式カテゴリとして、音質（チャンネル数）に応じて、マルチチャンネルカテゴリ、ステレオカテゴリとからなる２つの音声形式カテゴリが定められている。高音質のマルチチャンネルカテゴリには、音声信号のチャンネル数として、「３／１（４ＣＨ）」、「３／２（５ＣＨ）」、「３／２＋ＬＦＥ（５．１ＣＨ）」等が含まれ、低音質のステレオカテゴリには、音声信号の形式として「１／０（１ＣＨ）」、「２／０（２ＣＨ）」等が含まれている。なお、図４の音声形式における「ａ／ｂ」なる表記は、ａ：フロントのチャンネル数、ｂ：リアのチャンネル数を表す。例えば、「３／２＋ＬＦＥ」は、視聴者の正面、右前方、左前方（以上、フロント）、右後方、左後方（以上、リア）に配されるスピーカと、低音出力用サブウーファースピーカ（ＬＦＥ）とからなる６つのスピーカから出力される５．１チャンネルの音声信号を表す。
【００９０】
かかる音声記録モード設定情報でも、マルチチャンネルカテゴリ、ステレオカテゴリごとに、記録品質（ビットレート）のレベル１〜３に応じて、複数の音声記録モード「ｍｕｌｔｉ２〜３」、「Ｓｔｅｒｅｏ１〜３」が定められている。１つの音声記録モードには、１つの記録形式と１つのビットレートが関連づけられている。つまり、図４の下段に示すように、各記録モード「ｍｕｌｔｉ２〜３」、「Ｓｔｅｒｅｏ１〜３」についてそれぞれ、記録形式である所定チャンネル数（「５．１ＣＨ」又は「２ＣＨ」）と、記録時のビットレート（「１２８〜４４８ｋｂｐｓ」）とが一意に設定されている。例えば、記録モード「ｍｕｌｔｉ３」では、記録対象の映像信号を記録するときの記録形式（チャンネル数）が「５．１ＣＨ」であり、ビットレートが「４４８ｋｂｐｓ」に設定されている。
【００９１】
また、図４に示す音声記録モード設定情報のテーブルにおけるレベル１〜３は、ユーザにより選択される記録品質（録音品質）のレベルを表す。この記録品質のレベルは、記録対象の音声信号を記録する際のエンコード処理におけるビットレート（転送レート）に相当する。かかる記録品質のレベルが高い方が高音質録音可能な高ビットレートを表し、レベルが低い方が長時間録音可能な低ビットレートを表している。上述したように、記録モードの設定時には、ユーザは、かかる記録品質のレベルを選択する簡単な操作のみでよく、記録モード決定部１０８は、図４に示す音声記録モード設定情報に基づいて、記録対象の音声信号の形式と、ユーザにより選択された記録品質とに応じた適切な記録モードを自動的に決定する。
【００９２】
さらに、上述した映像記録モード「ＨＤ１」の場合と同様に、高音質のマルチチャンネルカテゴリの音声信号を、低ビットレートでエンコードして記録しようすると、音質的に破綻する恐れがある。
【００９３】
そこで、本実施形態では、ユーザにより選択された記録品質（ビットレート）が、記録対象の音声信号（例えばマルチチャンネル音声）の記録にとって不適切である場合には、記録対象の音声信号の形式が、ユーザにより選択された記録品質に適した記録形式に自動的に修正されるように、記録モードを決定する。つまり、ユーザにより選択された記録品質が低ビットレート条件である場合には、記録モード決定部１０８は、記録対象のマルチチャンネル音声信号の形式が属するマルチチャンネルカテゴリの記録モードの代わりに、当該マルチチャンネルカテゴリよりも低品質のステレオカテゴリに対応する複数の記録モードの中から、ユーザにより選択された記録品質に応じた記録モードを選択し、記録対象のマルチチャンネル音声信号の記録モードとする。
【００９４】
詳細には、図４の音声記録モード設定情報では、マルチチャンネルカテゴリの最低記録品質（レベル１）の記録モード「Ｍｕｌｔｉ１」は設定されていない。入力ソースがマルチチャンネル音声信号であり、かつ、ユーザが最低の記録品質レベル１を選択した場合には、記録モード決定部１０８は、マルチチャンネルカテゴリの記録モード「Ｍｕｌｔｉ１」の代わりに、ステレオカテゴリにおける最低記録品質の記録モード「Ｓｔｅｒｅｏ１」を強制的に選択する。これにより、高音質のマルチチャンネルの音声信号の記録時には、当該音声信号を、低ビットレートでの記録に適したステレオ音声のチャンネル数に自動的に修正して記録できる。このため、高音質のマルチチャンネルの音声信号を、当該音声信号に不適切な低ビットレートで記録しないようにして、記録された音声の音質破綻を防止できる。
【００９５】
また、図４の下段の記録モードの例では、同一の音声形式カテゴリに関する複数の記録モードでは、音声信号の記録形式は、入力された音声信号の形式などに関わらず所定の記録形式に固定されている。例えば、記録モード設定情報で定められたマルチチャンネルカテゴリに関する全ての記録モード「Ｍｕｌｔｉ２〜３」の記録形式は、所定の記録形式（例えば「５．１ＣＨ」）に統一されている。このように音声形式カテゴリごとに全ての記録モードの記録形式を統一設定しておくことで、同一の形式カテゴリに属する音声信号は全て、記録装置１０及び記録媒体が対応可能な所定の記録形式で記録することができる。
【００９６】
上記のような音声記録モード設定情報を予め設定しておくことで、上記映像記録モードの場合と同様に、記録装置１０は、入力ソースの音声信号の形式に応じた適切な記録モードを自動的に決定できる。具体的には、まず、上記形式判別部１０６は、記録対象の音声信号の形式（チャンネル数）を自動的に判別する。次いで、記録モード決定部１０８は、図４に示すような音声記録モード設定情報に基づいて、形式判別部１０６により判別された記録対象の音声信号のチャンネル数が属する音声形式カテゴリ（マルチチャンネルカテゴリ又はステレオカテゴリ）を決定する。さらに、記録モード決定部１０８は、決定した音声形式カテゴリに対応する複数の音声記録モードの中から、ユーザにより選択された記録品質のレベルに対応する音声記録モードを選択して、記録対象の音声信号の記録モードを決定する。例えば、入力ソースが、マルチチャンネル「５．１ＣＨ」の音声信号であり、ユーザにより記録品質のレベル３が選択された場合には、記録モード決定部１０８は、音声記録モード「Ｍｕｌｔｉ３」を選択する。
【００９７】
以上、図３及び図４を参照して、本実施形態にかかる映像記録モード設定情報と音声記録モード設定情報の具体例について説明した。本実施形態にかかる記録装置１０は、上記のような映像記録モード設定情報及び音声記録モード設定情報を設定・保持することで、記録対象の映像信号と音声信号についてそれぞれ、適切な映像記録モードと音声記録モードを決定できる。つまり、記録装置１０は、映像記録モード設定情報に基づいて、記録対象の映像信号の形式と、ユーザが選択した記録品質の双方に適切な映像記録モードを決定するとともに、記録対象の音声信号の形式と、ユーザが選択した記録品質との双方に対応した適切な音声記録モードを決定できる。
【００９８】
ところで、上記例の映像記録モード設定情報と音声記録モード設定情報では、各形式カテゴリについて、記録品質のレベルごとに相異なる映像／音声記録モードが設定されていた。これとは異なり、以下の図５のように、同一の形式カテゴリ内の記録モードについては、記録品質のレベルに関わらず、同一の記録モードに設定することも可能である。
【００９９】
ここで、図５に示す本実施形態の変更例にかかる映像及び音声記録モード設定情報について説明する。図５に示す映像及び音声記録モード設定情報では、映像記録モードについては、各映像形式カテゴリに関し、ユーザが選択する記録品質のレベルごとに複数の映像記録モードが設定されている。これに対し、音声記録モードについては、ユーザにより選択される記録品質のレベルに関わらず、音声形式カテゴリごとに同一の音声記録モードが設定されている。
【０１００】
詳細には、図５に示す映像及び音声記録モード設定情報では、図３及び図４と同様に、映像信号の形式を分類したＨＤカテゴリとＳＤカテゴリが設定され、音声信号の形式を分類したマルチチャンネルカテゴリとステレオカテゴリが設定されている。また、映像記録モードは、映像形式カテゴリごとに、記録品質のレベル（ビットレート）に応じて異なる複数の記録モード「ＨＤ２〜４、ＳＤ１〜４」が設定されている。ところが、音声記録モードについては、２つの音声形式カテゴリに対応する２つの記録モード「Ｍｕｌｔｉ」、「Ｓｔｅｒｅｏ」のみが設定されており、同一の音声形式カテゴリ内では、記録品質（ビットレート）ごとに異なる音声記録モードは設定されていない。即ち、図５の例では、記録品質のレベルは、映像の録画品質を示しており、音声の録音品質は表していない。
【０１０１】
かかる映像及び音声記録モード設定情報を用いた場合、映像記録モードを決定するときには、記録モード決定部１０８は、入力ソースの映像信号の形式が属する映像形式カテゴリを決定し、この映像形式カテゴリと、ユーザが選択した記録品質のレベルとに基づいて、映像記録モードを選択する。一方、音声記録モードを決定するときには、記録モード決定部１０８は、入力ソースの音声信号の形式が属する音声形式カテゴリを決定し、ユーザが選択した記録品質のレベルに関わらず、上記決定された音声形式カテゴリのみに基づいて、音声記録モードを決定する。
【０１０２】
このように、映像記録モードに関しては、映像信号の形式と記録品質の双方に依存して決定し、音声記録モードに関しては、音声信号の形式のみに依存して決定してもよい。これにより、記録品質（エンコード時のビットレート）による画質の変動が比較的大きい映像については、記録品質に依存して映像記録モードを多段階で設定でき、記録品質（エンコード時のビットレート）による音質の変動が比較的小さい音声については、形式のみに依存したシンプルな音声記録モードを設定できる。なお、図５の例とは逆に、音声記録モードに関しては、音声信号の形式と記録品質の双方に基づいて決定し、映像記録モードに関しては、ユーザにより選択された記録品質に関わらず、映像信号の形式のみに基づいて決定することもできる。
【０１０３】
以上、図３〜図５を参照して、本実施形態にかかる記録モード設定情報１２４の具体例について説明した。以下に、再び図２を参照して、記録装置１０の各部について説明する。
【０１０４】
上記の記録モード決定部１０８は、予め設定された記録モード設定情報１２４に基づいて、記録対象の映像／音声信号の形式と、ユーザにより選択された記録品質に応じた適切な記録モードを決定する。このとき、記録モード決定部１０８は、記録対象の映像／音声信号の形式に関する情報を、上記形式判別部１０６から取得でき、また、ユーザにより選択された記録品質に関する情報を、予約録画時に記録されている予約録画情報１２２や、直接録画時におけるユーザ入力情報などから取得できる。また、記録モード決定部１０８は、予約録画時には、予約録画前に記録モードを予め決定し、当該記録モードを例えば予約録画情報１２２などに追加保存しておく。これにより、予約録画開始時に、記録制御部１１０は、保存された記録モードに基づいて記録制御を実行できる。また、直接録画時には、記録モード決定部１０８は、上記決定した記録モードを記録制御部１１０に提供し、記録制御部１１０は、提供された記録モードに基づいて記録制御を実行する。
【０１０５】
記録制御部１１０は、上記記録モード決定部１０８により決定された記録モードに従って、記録対象の映像信号及び音声信号を記録媒体に記録するために、制御信号Ｃ１３により記録装置１０内の各部を制御する。
【０１０６】
詳細には、例えば、記録対象の映像／音声信号がデジタルＴＶ放送やＩＰＴＶなどの番組のストリーム（所定のコーデックで圧縮されたデータ）である場合、記録制御部１１０は、ＡＶデコーダ４０を制御して、記録装置に入力されたストリームをデコードする。さらに、記録制御部１１０は、スケーラ５２又はオーディオプロセッサ５４を制御して、ＡＶデコーダ４０でデコードされた記録対象の映像／音声信号を、上記決定された記録モードに対応する記録形式に変換する。また、記録制御部１１０は、ＡＶエンコーダ２０を制御して、上記記録対象の映像／音声信号を、上記決定された記録モードに対応するビットレート（転送レート）でエンコードする。
【０１０７】
例えば、上記選択された記憶モードが、図３に示した映像記録モード「ＨＤ４」であり、この「ＨＤ４」は、記録形式である画サイズ「１０８０ｉ」、ビットレート「１６Ｍｂｐｓ」を表す場合を想定する。この場合、記録制御部１１０は、記録対象の映像信号の形式が「１０８０ｉ」でない場合には、当該映像信号の形式を、記録可能な形式である「１０８０ｉ」にリサイズするようにスケーラ５２を制御する。また、記録制御部１１０は、リサイズされた映像信号をビットレート「１６Ｍｂｐｓ」でエンコーダするように、ＡＶエンコーダ２０を制御する。
【０１０８】
また、かかるデータ記録時には、記録制御部１１０は、ＡＶデコーダ４０から、実際にデコードされている映像／音声信号のデコード情報Ｃ１１を取得できる。記録制御部１１０は、このデコード情報Ｃ１１を用いて、実際の映像／音声信号の形式の変化等を判断し、この判断結果に応じてスケーラ５２又はオーディオプロセッサ５４をリアルタイムで制御する。これによって、例えば、記録対象の番組の途中にＣＭ等が存在し、記録中に映像／音声信号の形式が変化する場合などであっても、ＡＶエンコーダ２０に入力される映像／音声信号の形式を、所定の記録形式に適切に補正できる。
【０１０９】
以上、図２〜図５を参照して、本実施形態にかかる記録装置１０の機能構成と、記録モード設定情報について説明した。なお、図２に示すエンコード部、デコード部、形式変換部５０は、これら各部の機能を実現するプログラムを記録装置１０にインストールすることで、ソフトウェアで実現することも可能である。また、上述した番組情報管理部１００、予約録画部１０２、計時部１０４、形式判別部１０６、記録モード決定部１０８、記録制御部１１０などは、これら各部の機能を実行するプログラムを記録装置１０にインストールすることで、ソフトウェアとして実現されていたが、専用のハードウェアで実現することも可能である。
【０１１０】
次に、図６を参照して、上記構成の記録装置１０における記録方法について概略的に説明する。図６は、本実施形態にかかる記録装置１０における記録方法を示すフローチャートである。
【０１１１】
図６に示すように、まず、記録装置１０は、ユーザ入力に基づき、デジタルＴＶ放送やＩＰＴＶの番組の予約録画を設定する（ステップＳ１０）。予約録画の種類には、例えば、上記の日時指定予約録画又は番組表予約録画などがある。記録装置１０の予約録画部１０２は、予約録画を受けると、予約録画情報１２２を生成してＲＯＭ８２等に保存する。また、この予約録画時には、ユーザは、その番組の記録品質（例えば、高画質録画、標準画質録画、長時間録画など）を選択できる。かかるユーザにより選択された記録品質に関する情報は、予約録画情報１２２に含まれる。なお、ユーザが、記録品質のレベルを選択しない場合には、例えば、記録品質はデフォルトの標準画質録画に設定される。
【０１１２】
次いで、記録装置１０は、例えば、上記予約録画の設定（Ｓ１０）後、録画モードを決定（Ｓ４０）するまでの間、番組情報を定期的に取得し、取得した番組情報に基づいて上記録画予約された番組の形式情報を定期的に確認する（ステップＳ２０）。詳細には、番組情報取得部１００は、例えば、記録装置１０に入力されるＴＶ放送のＴＳのＳＩから、電子番組表（ＥＰＧ）などの番組情報を定期的に抽出して、番組情報ＤＢ１２０を更新する。この番組情報には、各放送チャンネルの各番組の情報が含まれており、その中に、予約録画対象の番組の映像／音声信号の形式情報（画サイズ情報、音声チャンネル情報）も含まれる。このため、形式判別部１０６は、番組情報ＤＢ１２０を参照することで、予約録画対象の番組の映像／音声信号の形式を適宜確認できる。これによって、予約録画対象の番組の映像／音声信号の形式に関する正確な情報を取得して、適正な記録モードを決定できるようになる。
【０１１３】
その後、記録装置１０は、記録モードの決定開始タイミングとなるまで待機する（ステップＳ３０）。この記録モードの決定を開始するトリガは、例えば、予約録画の実行直前、ユーザによる直接録画、ダビングの発生などであるが、その詳細は後述する（図７参照）。そして、記録モードの決定開始タイミングとなった場合には、ステップＳ４０に進む。
【０１１４】
ステップＳ４０では、後述の記録処理（Ｓ５０）における記録対象の映像／音声信号の記録モードを決定する（ステップＳ４０）。記録対象の映像／音声信号は、例えば、上記予約録画設定された番組、若しくは、直接録画を指示された番組の映像／音声信号、又は、ダビング等が指示されたコンテンツの映像／音声信号などである。記録モードの決定処理は、記録対象の映像／音声信号の形式を判別するステップと、その形式の属する形式カテゴリを決定するステップと、その形式カテゴリに対応する記録モードを、ユーザ選択された記録品質に応じて決定するステップとを含む。この記録モードの決定処理の詳細については後述する（図８参照）。
【０１１５】
次いで、記録装置１０は、上記Ｓ４０で決定された記録モードに従って、記録対象の映像／音声信号を、ＨＤＤ６２又は光ディスクドライブ６４の記録媒体に記録する（ステップＳ５０）。例えば、記録対象の映像／音声信号（入力ソース）が、デジタルＴＶ放送又はＩＰＴＶのストリームである場合には、まず、ＡＶデコーダ４０により、当該ストリームをデコードする（デコードステップ）。次いで、形式変換部５０（スケーラ５２又はオーディオプロセッサ５４）により、上記デコード後のデジタル信号の形式（画サイズ又は音声チャンネル数）を、上記決定された記録モードで規定された記録形式に変換する（形式変換ステップ）。さらに、ＡＶエンコーダ２０により、上記形式変換後のデジタル信号を、上記決定された記録モードで規定されたビットレート（転送レート）でエンコードする（エンコードステップ）。その後、記録部６０（ＨＤＤ６２又は光ディスクドライブ６４等）により、上記エンコードされたデータを記録媒体に記録する。
【０１１６】
次に、図７を参照して、上記の記録モードを決定するタイミング（上述のステップＳ３０）について説明する。図７は、本実施形態にかかる記録モードを決定するタイミングを示すフローチャートである。
【０１１７】
図７に示すように、記録モードの決定処理は、例えば、予約録画の実行（ステップＳ３２）、直接録画の実行（ステップＳ３４）、ダビングの実行（ステップＳ３６）など、記録対象の映像／音声信号の記録を開始する直前のタイミングで実行される。記録装置１０は、これらの録画処理を開始するか否かを常時監視しており、当該録画処理の開始をトリガとして、当該録画処理の開始直前に記録モードの決定処理（ステップＳ４０）を実行する。
【０１１８】
まず、ステップＳ３２の予約録画の実行開始をトリガとする場合について説明する。図６のＳ２０で説明したように、予約録画が設定された後には、正確な形式情報を取得するために、記録装置１０は、デジタルＴＶ放送等の番組情報を定期的に取得・更新して、記録対象の映像／音声信号に関する形式情報及び予約録画情報を確認する。そして、最終的には予約録画の開始直前に、最新の番組情報に含まれる形式情報を用いて、記録モードを決定する。つまり、形式判別部１０６は、計時部１０４から提供される現在時刻と、予約録画情報１２２に含まれる録画開始時刻とを比較することで、予約録画の開始直前であるか否かを判断できる。この結果、予約録画の開始直前になると、形式判別部１０６は、録画予約された番組の形式情報を番組情報データベース１２０内の番組情報から取得して、録画予約された番組の映像／音声信号の形式を判別し、記録モード決定部１０８は、当該形式を用いて記録モードを決定する。なお、予約録画の開始直前とは、録画開始時刻より所定時間前（例えば、記録装置の記録処理の準備動作に要する時間分だけ前）である。
【０１１９】
次に、ステップＳ３４の直接録画の実行開始や、ステップＳ３６のダビングの実行開始をトリガとする場合について説明する。直接録画は、ユーザが記録装置１０のユーザインタフェース８６を操作して、記録装置１０に現在入力されている映像／音声信号（例えば、現在放送中の番組の映像／音声信号）を録画することである。また、ダビングは、ユーザが記録装置１０のユーザインタフェース８６を操作して、記録装置１０に接続されている外部機器又は記録装置１０内の記録媒体に記録されている映像／音声信号を、別の記録媒体に複製することである。かかる直接録画やダビングの場合には、ユーザによるユーザインタフェース８６に対する操作が、記録モード決定処理のトリガとなる。
【０１２０】
次に、図８を参照して、上記の記録モードの決定処理（図６、７のステップＳ４０）について説明する。図８は、本実施形態にかかる記録モードの決定処理を示すフローチャートである。この図８の例では、上記図３に示した映像記録モード設定情報を用いて、映像形式カテゴリごとに映像記録モードを設定する処理フローの例を示している。なお、図４に示した音声記録モード設定情報を用いた音声記録モードの決定処理も同様に実行できる。
【０１２１】
図８に示すように、まずステップＳ４２にて、記録装置１０は、記録対象の映像／音声信号（入力ソース）の種類、形式を判別する。入力ソースの種類は、記録装置１０に対する入力方式を用いて判別できる。また、後述するようにデジタル放送やＩＰＴＶ以外の入力ソースについては、入力ソースの形式は固定であるので、入力方式に基づいて、入力ソースの形式（画サイズ）を判別可能である。
【０１２２】
例えば、入力ソースが、アナログチューナー１１からの入力や、アナログ入力端子１３を介したライン入力、ＤＶ方式ビデオカメラからのＤＶ入力端子１４を介したＤＶ信号の再エンコード入力、ＤＶＤからの再エンコードダビング入力などである場合は、入力ソースの形式（画サイズ）は、「４８０ｉ」に固定されている。このため、形式判別部１０６は、これらの入力ソースの形式が「４８０ｉ」であると判別し、当該入力ソースの形式カテゴリが「ＳＤカテゴリ」であると判別する。よって、この場合には、ＳＤ記録モード選択ステップ（Ｓ４８）に進む。
【０１２３】
また、入力ソースが、ＨＤＶ方式ビデオカメラからｉ．ＬＩＮＫ端子１７等を介したＨＤＶ信号の再エンコード入力、ＡＶＣＨＤやＢＤ(ＨＤ)のディスクからのダビング入力などである場合は、入力ソースの形式（画サイズ）は、「１０８０ｉ」に固定されている。このため、形式判別部１０６は、これらの入力ソースの形式が「１０８０ｉ」であると判別し、当該入力ソースの形式カテゴリが「ＨＤカテゴリ」であると判別する。よって、この場合には、ＨＤ記録モード選択ステップ（Ｓ４６）に進む。
【０１２４】
一方、入力ソースが、デジタルチューナー１６やＩＰＴＶからの入力（ＴＶ放送のデジタルストリーム）である場合には、入力ソースの形式（画サイズ）は、番組や時間帯などに応じて変動するので、入力方式のみからでは判別できない。そこで、ステップＳ４４にて、ＳＩのＥＩＴ情報などから取得した番組情報（ＥＰＧ等）に基づいて、これらの入力ソースの形式を判別する。この結果、入力ソースの形式が、「４８０ｉ」又は「４８０ｐ」等のＳＤカテゴリに属する形式であると判別された場合には、ＳＤ記録モード選択ステップ（Ｓ４８）に進む。一方、入力ソースの形式が、「７２０ｐ」、「１０８０ｉ」又は「１０８０ｐ」等のＨＤカテゴリに属する形式であると判別された場合には、ＨＤ記録モード選択ステップ（Ｓ４６）に進む。また、何らかの障害により、番組情報が取得できない場合は、デフォルトでＨＤ記録モード選択ステップ（Ｓ４６）に進む。
【０１２５】
次いで、ＨＤ記録モード選択ステップＳ４６では、記録モード決定部１０８は、図３に示した映像モード設定情報に基づいて、ＨＤカテゴリの複数の記録モード「ＨＤ１〜４」の中から、ユーザにより選択した記録品質のレベルに応じた記録モードを選択する。このとき、ユーザにより選択された記録品質のレベルが「レベル２〜４」である場合、入力ソースの記録モードとして、ＨＤカテゴリ内の記録モード「ＨＤ２〜４」がそれぞれ選択される。ただし、ユーザにより選択された記録品質のレベルが「レベル１」である場合、入力ソースの記録モードとして、ＨＤカテゴリ内の記録モード「ＨＤ１」の代わりに、ＳＤカテゴリ内の「レベル１」に対応する記録モード「ＳＤ１」が選択される。
【０１２６】
また、ＳＤ記録モード選択ステップＳ４８では、記録モード決定部１０８は、図３に示した映像モード設定情報に基づいて、ＳＤカテゴリの複数の記録モード「ＳＤ１〜４」の中から、ユーザにより選択した記録品質のレベル「レベル１〜４」に応じた記録モード「ＳＤ１〜４」を選択する。
【０１２７】
以上のようにして、記録装置１０は、入力ソースの入力方式や番組情報などに基づいて入力ソースの形式を自動的に判別し、当該判別した形式とユーザ所望の記録品質レベルに適した記録モードを自動的に決定する。よって、ユーザは記録品質レベルを選択するだけで、多様な形式の入力ソースを所望の品質で記録できる。
【０１２８】
次に、図９を参照して、本実施形態にかかる記録装置１０における日時指定予約録画時の記録モードの決定方法について説明する。図９は、本実施形態にかかる記録装置１０における日時指定予約録画時の記録形式を示す説明図である。
【０１２９】
図９に示すように、日時指定予約録画は、ユーザが指定した放送チャンネル及び時間帯の番組を予約録画するモードである。このとき、当該時間帯に、映像／音声信号の形式の異なる複数の番組が含まれることがある。また、１つの番組のみが含まれる場合であっても、番組本編の途中に挿入された広告映像（ＣＭ）と、番組本編とで、映像／音声信号の形式の異なる場合もある。
【０１３０】
そこで、本実施形態では、かかる場合に対処すべく、テレビジョン放送の日時指定予約録画を行う場合、形式判別部１０６は、記録開始前に予め取得した番組情報に基づいて、日時指定予約録画で指定された時間帯で最も多くの時間を占める番組の形式を判別し、記録モードの判定の基準とする。また、当該時間帯で占有時間が同一の番組が複数存在する場合は、形式判別部１０６は、その複数の番組の中で最も早い時間に放送される番組の形式を判別する。そして、記録モード決定部１０８は、日時指定予約録画で指定された時間帯における記録対象の映像信号又は音声信号の記録モードを、上記占有時間が最も長い番組の形式に適した記録モードに決定する。この際、日時指定予約録画の記録開始から記録終了までの間に、放送番組の映像／音声信号の形式（以下「番組の形式」）が変化したとしても、上記決定された記録モードを番組ごとに変更することなく、全ての番組を同一の記録モード（即ち、記録装置が対応可能な所定の記録形式及びビットレート）で統一的に記録する。
【０１３１】
かかる処理について、図９の事例でより詳細に説明する。図９の例は、１８：００から２２：００までのある放送局の番組編成を示しており、ユーザが、日時指定予約録画で「１８：５８〜２１：３０」を録画指定時間に設定したケースを表す。なお、「録画タイトル」は、記録開始から記録終了までの１回の録画処理で得られる録画データであり、「クリップ」ともいう。
ユーザの意図として、「１９：００〜２１：４５」に放送予定の番組２を録画予約したいときでも、番組２の頭欠け（番組２の先頭部分の記録欠如）を避けて、録画開始時刻を番組２の放送開始予定時刻「１９：００」よりも少し前の時刻「１８：５８」に設定するケースは多い。また、番組２の時間延長や遅延を考慮して、録画終了時刻を番組２の放送終了予定時刻「２０：４５」よりも遅い時刻「２１：３０」に設定するケースも多い。本実施形態にかかる記録装置１０は、これらの場合に対応すべく、ユーザが録画を所望する番組２に適した記録形式で録画可能な構成となっている。
【０１３２】
即ち、日時指定予約録画が設定されると、記録装置１０は、録画指定時間内で最も占有時間が長い番組２を選択し、当該日時指定予約録画の記録モードを、この番組２の形式に対応したＨＤ映像用の記録モード（記録装置１０が対応可能なＨＤ映像の記録形式である「１０８０ｉ」）に決定する。そして、この録画指定時間内は、録画対象の放送チャンネルの番組の変動に依存して記録対象の映像信号の形式（画サイズ）が変化する場合でも、当該映像信号を、上記決定されたＨＤ映像用の記録モードに対応する所定の記録形式「１０８０ｉ」に自動的に変換して、継続的に記録する
【０１３３】
詳細には、予約指定時間「１８：５８〜２１：３０」の間には、４つの番組１〜４が含まれているが、占有時間が最も多い番組は番組２である。そこで、記録装置１０は、予約録画実行前に、番組情報から番組２の形式情報を抽出して、番組２の形式「１０８０ｉ」を判別する。そして、予約指定時間「１８：５８〜２１：３０」全体の記録モードとして、上記番組２の形式「１０８０ｉ」が属するＨＤカテゴリ内のＨＤ記録モードを選択する。このＨＤ記録モードは、ＨＤ映像用の記録形式「１０８０ｉ」で映像信号を記録するモードであり、例えば記録モード「ＨＤ２〜４」のいずれかに相当する。
【０１３４】
このようにして、上記日時指定予約録画の記録モードがＨＤ記録モードに決定されると、実際の録画時には、予約指定時間内の番組１〜４のうち、番組１や番組３のＳＤ映像は、画サイズが「４８０ｉ」→「１０８０ｉ」に拡大するようリサイズ処理され（図９のＡ、Ｃ部分）、番組４のＳＤ映像は、画サイズが「４８０ｐ」→「１０８０ｉ」に拡大するようリサイズ処理される（図９のＤ部分）。このリサイズ処理は、記録制御部１１０の制御に基づき、形式変換部５０であるスケーラ５２でリアルタイムに行われる。かかる記録中は、記録制御部１１０は、ＡＶデコーダ４０からリアルタイムで得たデコード情報に基づいて、タイミングを合わせてスケーラ５２に対してリサイズを指示する。この結果、ＡＶエンコーダ２０には、スケーラ５２により画サイズが所定の記録形式「１０８０ｉ」に固定化された映像信号が入力される。
【０１３５】
以上のように、本実施形態にかかる記録装置１０では、デジタルＴＶ放送やＩＰＴＶの日時指定予約録画を行う場合に、録画予約開始前に予め、番組情報に基づいて、予約指定時間内で占有時間の最も長い番組の形式を判別し、この番組の形式に合った記録モードを選択する。そして、実際の予約録画実行時には、各種の番組の形式の変動にかかわらず、上記選択した記録モードで定められた所定の記録形式で一貫して記録する。これにより、予約指定時間内でユーザが録画を所望する番組（占有時間の最長の番組）の形式に適した記録形式を自動的に選択して録画できる。よって、上記のような、ユーザが録画を所望する番組の頭欠けを避けて、録画開始時刻を当該番組の放送開始時刻よりも少し前の時刻に設定するケースや、当該番組の時間延長や遅延を考慮して、録画終了時刻を当該番組の放送終了時刻よりも遅い時刻に設定するケースなどにも、記録装置１０は、所望の番組に適した記録形式を自動判別して記録できる。
【０１３６】
次に、番組表予約録画時の記録モードの決定方法について説明する。番組表予約録画は、ユーザがＥＰＧ等の番組表に基づいて指定した番組を予約録画するモードである。このとき、指定された番組の途中に挿入された広告映像（ＣＭ）と、番組本編とで、映像／音声信号の形式の異なる場合がある。
【０１３７】
この番組表予約録画を実行する場合には、番組表予約録画で指定された番組の放送開始直前（例えば、当該番組の放送開始時刻の所定時間前）に、形式判別部１０６は、記録開始前に予め取得した番組情報に基づいて、指定された番組の映像信号又は音声信号の形式を判別し、記録モードの判定の基準とする。そして、記録モード決定部１０８は、上記記録モード設定情報１２２と、ユーザにより指定された記録品質とに基づいて、判定された形式に適した記録モードを決定する。この際、番組表予約録画で指定された番組の記録開始から記録終了までは、たとえＣＭ部分で映像／音声信号の形式が変化したとして、上記決定された記録モードを変更することなく、当該記録モードで統一的に記録する。
【０１３８】
次に、直接録画時の記録モードの決定処理について説明する。直接録画は、ユーザが、記録装置１０のユーザインタフェース８６（例えば、操作キー、リモートコントローラ等）を操作して、記録装置１０に対して録画動作を直接指示する録画モードである。この直接録画により、テレビジョン放送で現在放送中の番組（例えば、デジタルチューナー１６で現在受信中のＨＤＴＶ放送の番組、又は、通信部１９で現在受信中のＩＰＴＶの番組など）の録画を行う場合、記録装置１０は、直接録画が指示された時点で放送中の番組の番組情報を利用して、記録モードを決定し、当該記録モードに従って録画を開始する。
【０１３９】
詳細には、現在放送中の番組の直接録画が指示されると、記録装置１０の形式判別部１０６は、当該番組の番組情報を取得して、この番組情報に基づいて当該番組の映像信号又は音声信号の形式を判別する。この番組情報の取得方法として、例えば、現在受信中の放送番組のＴＳのＳＩから番組情報を抽出してもよいし、予め取得した番組情報が記憶されている番組情報ＤＢ１２０から当該番組の番組情報を読み出してもよい。次いで、記録モード決定部１０８は、記録モード設定情報１２４に基づき、上記判別された現在放送中の番組の形式と、ユーザにより選択された記録品質のレベルに応じて、現在放送中の番組の映像信号又は音声信号の記録モードを決定する。この結果、当該決定された記録モードに従って、現在放送中の番組の映像信号又は音声信号が記録媒体に記録される。以上のようにして、直接録画を行う場合には、現在放送中の番組の番組情報に基づいて、当該番組の形式に適した記録モードを自動的に決定できる。
【０１４０】
ただし、例外として、ユーザによる直接録画の指示が、現在放送中の番組の次の番組の直前（換言すると、現在放送中の番組の終了直前）になされた場合には、記録装置１０は、現在放送中の番組の次の番組の番組情報に基づいて、記録モードを決定する。
【０１４１】
つまり、ユーザは、所望の番組の頭欠けを避けるために、所望の番組の放送開始時刻の少し前に直接録画を指示するケースは多い。この場合には、ユーザが録画を所望する番組は、直接録画を指示した時点で放送中の番組（現在放送中の番組）ではなく、当該現在放送中の番組の次の番組である。この場合、現在放送中の番組の番組情報に基づいて、記録モードを決定してしまうと、現在放送中の番組の形式（例えば「４８０ｉ」）に適した記録モード（例えばＳＤ記録モード）で記録がなされるので、ユーザが本来録画を所望する次の番組の形式（例えば「１０８０ｉ」）に適した記録モード（例えばＨＤ記録モード）で、当該次の番組を記録できない恐れがある。
【０１４２】
そこで、記録装置１０の形式判別部１０６は、ユーザにより直接録画が指示されると、番組情報ＤＢ１２０に記憶されている番組情報に基づいて、計時部１０４から提供される現在時刻が、現在放送中の番組の次の番組の開始時刻の直前の時間帯であるか否かを判定する。ここで、直前の時間帯とは、次の番組の開始時刻の所定時間（例えば、数分）前となる時間帯である。上記判定の結果、直前の時間帯でないと判定された場合には、記録装置１０は、上記と同様に現在放送中の番組の番組情報に基づいて記録モードを決定する。
【０１４３】
一方、直前の時間帯であると判定された場合には、記録装置は、現在放送中の番組の次の番組の番組情報に基づいて記録モードを決定し、この記録モードに従って直接記録を実行する。詳細には、直前の時間帯であると判定された場合には、形式判別部１０６は、番組情報ＤＢ１２０若しくは現在受信中のＴＳのＳＩから、次の番組の番組情報を取得し、この番組情報に基づいて次の番組の映像／音声信号の形式を判別する。次いで、記録モード決定部１０８は、記録モード設定情報１２４に基づき、上記判別された次の番組の形式と、ユーザにより選択された記録品質のレベルに応じて、次の番組の映像信号又は音声信号の記録モードを決定する。この結果、当該決定された記録モードに従って、現在放送中の番組及び次の番組の映像信号又は音声信号が記録媒体に記録される。これによって、次の番組の開始直前に直接録画の指示を受け付けた場合であっても、現在放送中の番組の形式に適した記録モードではなく、ユーザが記録を所望する次の番組の形式に適した記録モードで、現在受信中のテレビジョン放送のチャンネルの映像信号及び音声信号を記録できる。
【０１４４】
以上、入力ソースがテレビジョン放送の映像及び音声信号であり、かかる入力ソースを日時指定予約録画、番組表予約録画、直接録画する場合について説明した。いずれの場合においても、記録開始から記録終了までの間に放送番組形式が変化したとしても、記録開始前に決定した記録モードの記録形式を維持する。例えば図９の番組編成の例では、記録時間帯に、入力される番組の映像形式が、「４８０ｉ（ＳＤ）」→「１０８０ｉ（ＨＤ）」→「４８０ｉ（ＳＤ）」→「４８０ｐ（ＳＤ）」と変化しているが、記録タイトルに実際に適用される記録形式は「１０８０ｉ（ＨＤ）」に固定されている。
【０１４５】
このように、本実施形態にかかる記録装置では、記録中は常に、記録開始前に決定した所定の記録フォーマットに対応する記録形式での記録を維持し、入力ソースの形式変換に応じて記録形式を変更しない。このために、ＣＰＵ８０の記録制御部１１０は、ＡＶデコーダ４０からリアルタイムで、記録対象の映像／音声信号のデコード情報を取得し、このデコード情報に基づいて、番組形式の変化タイミングに合わせて当該映像／音声信号を所定の記録形式に変換するよう、スケーラ５２又はオーディオプロセッサ５４に指示する。これにより、記録対象の映像信号の画サイズや、音声信号のチャンネル数が、記録装置１０が対応可能な所定の記録形式に変換されるので、ＡＶエンコーダ２０に入力される映像／音声信号が、所定の記録形式に固定される。
【０１４６】
上述したように日時指定予約録画では番組ごとに形式が異なる場合があり、番組表予約録画であっても、ＣＭや目標の番組の前後で、目標の番組の形式と異なる形式が入力される場合は発生する。一般的に記録装置における記録途中で、エンコードの形式を変更（例えば、ＨＤとＳＤ間での記録形式を変更）したり、形式ごとに録画タイトルを分割したりすると、その変更や分割のタイミングで、記録中の番組の一部が欠損（番組欠け）してしまう。これは、形式変更時には、システムの制約により、エンコード動作を一旦停止しなければならないからである。このような番組欠けが生じることは、記録装置の性能を評価する上で致命的である。
【０１４７】
さらに、昨今の光ディスク（例えば、ＢＤ等の次世代光ディスク）の記録フォーマットでは、ＲＯＭのフォーマットに準じて、録画タイトル内で画サイズや音声チャンネル数などの記録形式の変化を許容しない記録フォーマットが一般的になる傾向にある。また、光ディスクの記録フォーマットが記録形式の変化を許容しないものになれば、データの互換性を考慮してＨＤＤの記録フォーマットもそれに準じる可能性は高い。かかる記録フォーマットの記録媒体では、異なる形式の映像／音声データを記録するためには、録画タイトルを分割しなければならない。このタイトル分割を行うと、どうしても番組欠けが発生してしまう。
【０１４８】
これに対し、本実施形態にかかる記録装置１０は、記録対象の入力ソースの形式に適した記録モードを記録前に予め決定し、記録中には、当該記録モードで定められている所定の記録形式を維持して、入力形式が変化しても記録形式を変更せず、タイトル分割も行わない。よって、記録装置１０は、上記のような記録途中での記録形式の変更やタイトル分割に伴う番組欠けの問題が生じないという利点がある。さらに、記録装置１０は、上記のような記録中の記録形式の変化を許容しない記録フォーマットを採用した記録媒体にも、好適に対応可能である。
【０１４９】
以上、本発明の第１の実施形態にかかる記録装置１０とこれを用いた記録方法について説明した。本実施形態によれば、記録装置１０は、映像／音声信号の多様な形式を分類した形式カテゴリごとに、ユーザにより選択可能な記録品質に応じた複数の記録モードを定めた記録モード設定情報１２４を保持する。各記録モードには、記録装置１０が対応可能な所定の記録形式と、記録品質に相当するビットレートとを規定している。かかる記録装置１０では、形式判別部１０６によって、記録対象の映像／音声信号（入力ソース）の形式を自動的に判別し、記録パターン決定部１０８により、記録モード設定情報１２４に基づき、上記判別された形式に対応する記録形式と、ユーザの選択した記録品質に対応するビットレートとに対応する適切な記録パターンを自動的に決定する。そして、記録時には、入力ソースの形式が、記録装置１０が対応可能な所定の記録形式と異なる場合には、上記決定した記録パターンに従い、形式変換部５０によって、入力ソースの形式を適切な記録形式に変換するとともに、ＡＶエンコーダ２０によって、ユーザ所望の記録品質に対応するビットレートで、入力ソースをエンコードした上で、記録媒体に記録する。
【０１５０】
従って、ユーザは、記録品質を指定するだけの簡単な操作で、入力メディアやＴＶ放送の番組に依存して変化する多様な入力ソースの映像／音声信号形式を意識せずに、ユーザの所望する最適な記録品質、最適な記録形式で、入力ソースを記録媒体に記録できる。
【０１５１】
また、記録モードの判別では、記録対象の映像／音声信号（ストリーム）自体のデコード情報を利用するのではなく、記録開始前に取得した番組情報を利用する。このため、記録対象の番組の形式を記録開始前に予め判別して、その形式に適した記録モードを決定できる。従って、記録対象の番組本編の前に異なる形式の入力（例えば、他の番組、ＣＭ等）がある場合でも、所望の番組本編を当該番組の形式に応じた正しい記録形式で記録できる。
【０１５２】
さらに、記録開始から記録終了までの間は、入力形式の変化に関わらず、記録前に決定した所定の記録形式を変更せずに一貫して用いて記録する。これにより、所定の記録形式で統一された１つの録画タイトルを構成することができるので、形式変更や録画タイトル分割に伴う録画タイトル（記録された番組の映像・音声）の頭欠けも防止できる。さらに、昨今の光ディスク等の記録媒体の記録フォーマットは、録画中の記録形式の変更を許容しないものがあるが、本実施形態にかかる記録方式は、かかる記録フォーマットとの親和性を高めることもできる。よって、記録装置１０のユーザの満足度及び利便性を向上できる。
【０１５３】
（第２の実施形態）
次に、本発明の第２の実施形態にかかる記録装置及び記録方法について説明する。第２の実施形態は、上記第１の実施形態と比べて、番組情報から取得できない形式情報（例えば、水平方向の画サイズ）を保存する形式データベースを利用することにより、記録対象の映像信号又は音声信号の形式をより詳細に判別する点で相違する。第２の実施形態は、その他の機能構成については、第１の実施形態と略同一であるので、その詳細説明は省略し、以下に、第２の実施形態にかかる記録装置２１０（例えば、入力ソース連動型の記録装置）の特徴について詳述する。
【０１５４】
第２の実施形態にかかる記録装置２１０は、上記第１の実施形態にかかる記録装置１０と同様に、相異なる複数の形式の映像又は音声信号を記録及び再生可能な記録再生機器で構成される。第２の実施形態にかかる記録装置２１０も入力ソース（記録対象の映像又は音声信号）を再エンコードして記録するときの記録形式の選別手法に特徴を有する。
【０１５５】
上記第１の実施形態では、多様な形式（例えば、映像の画サイズ、音声のチャンネル数など）のデジタル放送等のストリームを、その形式に応じて最適な記録方式を選択し、かつ、記録する番組タイトルの頭欠けを防いで再エンコード記録するために、ストリームのＳＩの番組情報を利用して、形式を判別していた。ところが、第１の実施形態では、映像又は音声信号（入力ソース）の形式情報のうち、番組情報に含まれていない形式情報、例えば、１０８０ｉフォーマットの水平方向の画サイズ（「１９２０」又は「１４４０」）については、番組情報に基づいて判別できない。このため、水平方向の画サイズについては所定の形式（例えば１９２０）に固定して記録するしかなかった。
【０１５６】
しかし、番組情報に含まれていない形式情報であっても、水平方向の画サイズ（以下、「水平画サイズ」という。）等の形式情報は、正しい記録形式を選択するには必須の情報であり、間違った記録形式を選択すると、品質の劣化につながってしまう。例えば、水平画サイズが１４４０サイズである放送番組のストリームを、１９２０サイズで記録してしまうと、水平画サイズを拡大して記録することになるため、同じビットレートでは品質が劣化してしまう。
【０１５７】
また、番組が開始してから、その番組のストリームを実際にデコードして得られた情報から、番組情報に含まれない形式情報（水平画サイズ等）を抜き出す手法も考えられるが、かかる手法では、録画タイトルの頭欠けが発生してしまう。この頭欠けを防ぐためには、番組開始から記録開始までの所定時間（例えば１０秒間）分のデータを蓄積しておくために、大きなバッファが必要になる。このため、記録装置２１０のハードウェアが大型化してしまうので、現実的ではない。さらに、ユーザにとっても、録画タイトルが番組本編の開始位置ぴったりから記録されている場合よりも、当該開始位置より少し前の位置から記録されている場合（即ち、前の番組から録画目的の番組への切り替わりが録画されている場合）の方が、本当に最初から番組が録画されているという安心感がある。この安心感を失うことはユーザにとって大きなダメージである。よって、番組情報に含まれない形式情報を番組放送開始前に予測しておき、番組開始前から番組の切り替わり位置も含めて、その番組に適した記録形式で録画しておくことが求められる。
【０１５８】
そこで、第２の実施形態は、録画タイトルの頭欠けを防ぎつつも、番組情報に含まれていない形式情報を番組開始前に予測して、最適な記録形式で品質の高い記録を実現することを目的としている。
【０１５９】
そのために、第２の実施形態にかかる記録装置２１０は、デジタル放送又はＩＰＴＶ等のストリームの番組情報から取得できない形式情報については、当該形式情報のデータベース（後述の形式データベース２００）を、放送局単位（チャンネル単位）又は番組単位で自ら予め構築しておく。そして、記録装置２１０は、次回のタイトルの記録時に、当該形式データベースを利用して、入力ソースの形式及び記録形式を判別する。これにより、番組情報から取得できない形式情報についても記録開始前に予測し、録画タイトルの頭欠けを防ぎつつ、最適な記録形式で再エンコードして記録することができる。
【０１６０】
さらに、第２の実施形態にかかる記録装置２１０は、上記形式データベースに対し、最初に設定した形式情報の初期値を、適宜、ストリームを実際にデコードすることで得られた形式情報で更新する。これによって、番組情報に含まれていない形式情報の予測精度を高め、放送状況の変化に対応することができる。以下に、第２の実施形態にかかる記録装置２１０について、詳述する。
【０１６１】
まず、図１０を参照して、第２の実施形態にかかる記録装置２１０の機能構成について詳細に説明する。図１０は、第２の実施形態にかかる記録装置２１０の構成を概略的に示す機能ブロック図である。
【０１６２】
図１０に示すように、第２の実施形態に係る記録装置２１０は、番組情報Ｃ１２に含まれていない形式情報をデータベース化した形式データベース２００と、形式データベース管理部２０２と、形式データベース取得部２０４とを更に備える。形式判別部２０６は、形式データベース２００を用いて番組情報に含まれない入力ソースの形式を判別する。図１０に示す第２の実施形態に係る記録装置２１０は、上記形式データベース２００等以外の構成は、図２に示した第１の実施形態に係る記録装置１０と略同一の機能構成を具備しており、その詳細説明は省略する。
【０１６３】
形式データベース２００（以下「形式ＤＢ２００」という。）は、映像信号又は音声信号の形式情報のうち、番組情報Ｃ１２に含まれていない形式情報（例えば、映像信号の水平画サイズ）を、放送局単位（即ち、チャンネル単位）又は番組単位等でデータベース化したものである（図１２、図１３参照。）。この形式ＤＢ２００は、例えば、図１に示すＨＤＤ６２、光ディスクドライブ６４、不図示の不揮発性メモリ等の記憶装置に保存される。
【０１６４】
形式ＤＢ管理部２０２、形式ＤＢ取得部２０４及び形式判別部２０６は、例えばソフトウェア又はハードウェアで実現される。ソフトウェアで実現する場合、ＣＰＵ８０が、ＲＯＭ８２等に格納されたプログラムに従って動作することで、形式ＤＢ管理部２０２、形式ＤＢ取得部２０４及び形式判別部２０６として機能する。
【０１６５】
形式ＤＢ管理部２０２は、上記形式ＤＢ２００を管理（作成、更新等）する。形式ＤＢ管理部２０２は、記録装置２１０に入力されたテレビジョン放送のストリーム（入力ソース）をデコードして得られた情報に基づき、放送局単位又は番組単位で形式ＤＢ２００を作成及び更新する。入力されたストリームをＡＶデコーダ４０によって実際にデコードして、当該デコードにより得られたデコード情報Ｃ１１を解析することで、当該ストリームに含まれる映像信号及び音声信号の全ての形式を把握できる。従って、形式ＤＢ管理部２０２は、ＡＶデコーダ４０から入力されたデコード情報Ｃ１１を解析することで、番組情報Ｃ１２に含まれていない形式情報（例えば、水平画サイズ）を把握して、当該形式ＤＢ２００を構築できる。形式ＤＢ管理部２０２は、例えば、テレビジョン放送のチャンネル選局タイミング、又は、同一チャンネルにおける番組の切り替わりタイミングなどに応じて、デコード情報Ｃ１１から、上記番組情報Ｃ１２に含まれない形式情報を取得して、形式ＤＢ２００を更新する。
【０１６６】
このようにして形式ＤＢ管理部２０２が形式ＤＢ２００を作成・更新することで、その放送局（チャンネル）又は番組のストリームの形式を予測することができる。このため、次回、その放送局（チャンネル）又は番組のストリームを記録するときに、形式判別部２０６は、形式ＤＢ２００に含まれる形式情報に基づき、当該ストリームの記録形式を適切に決定できる。なお、各放送局が一定の水平画サイズで放送している場合や、日単位、週単位、月単位等で同一の形式の番組が繰り返し放送される場合（例えば、ドラマ、ニュース等）には、上記形式ＤＢ管理部２０２による形式情報の予測精度は高まる。
【０１６７】
形式ＤＢ取得部２０４は、形式ＤＢ２００を提供する外部装置（図示せず。）から、形式ＤＢ２００を、例えばネットワーク又は記録媒体等を介して取得する。形式ＤＢ２００を提供する外部装置は、各放送局のストリームの形式情報を提供するサービスを運営する事業者の外部サーバなどである。形式ＤＢ取得部２０４は、当該外部サーバから、定期的に又は任意のタイミングで形式ＤＢ２００を取得して、記録装置２１０内の記憶装置に保存する。これにより、上述した形式ＤＢ管理部２０２により記録装置２１０内で形式ＤＢ２００を生成・更新しなくとも、外部から形式ＤＢ２００を取得して、記録対象の各番組の形式を記録前に予め把握できる。
【０１６８】
形式判別部２０６は、番組情報ＤＢ１２０に記憶されている番組情報Ｃ１２に含まれる形式情報に基づいて、記録対象の映像信号又は音声信号（入力ソース）の形式（例えば、映像信号の垂直画サイズ、音声信号のチャンネル数等）を判別する。さらに、形式判別部２０６は、番組情報に含まれない形式情報（例えば、水平画サイズ）については、形式ＤＢ２００に記憶されている形式情報に基づいて、入力ソースの形式を判別する。このように、形式判別部２０６は、番組情報ＤＢ１２０と形式ＤＢ２００を併用することで、入力ソースの全ての形式を判別できる。この結果、記録モード決定部１０８は、形式判別部２０６から記録対象の映像信号の垂直画サイズのみならず水平画サイズも取得できるため、記録モード設定情報１２４に基づき、双方の画サイズに合ったより適切な記録モードを選択できるようになる。
【０１６９】
次に、図１１を参照して、第２の実施形態にかかる記録モード設定情報１２４と、この記録モード設定情報１２４に基づく記録モードの決定処理について詳細に説明する。図１１は、第２の実施形態にかかる映像記録モード設定情報の具体例を示す説明図である。
【０１７０】
図１１に示すように、第２の実施形態にかかる映像記録モード設定情報は、入力ソースの映像信号の形式を当該映像信号の垂直及び水平画サイズに応じて分類した複数の映像形式カテゴリ（例えばＨＤカテゴリ、ＳＤカテゴリなど）ごとに、映像信号の記録品質に応じた複数の映像記録モード（ＨＤ３−２〜４−２、ＨＤ２−１〜４−１、ＳＤ１〜４など）をそれぞれ設定した情報である。図１１の例では、映像ソースの形式カテゴリとして、画質（解像度）に応じて、高画質のＨＤカテゴリと、低画質のＳＤカテゴリとからなる２つの映像形式カテゴリが設定されている。ＨＤカテゴリは、図示された「１０８０ｉ」のみならず、不図示の「１０８０ｐ」、「７２０ｐ」等の垂直画サイズも含む。ＳＤカテゴリは、図示された「４８０ｉ」のみならず、不図示の「４８０ｐ」等の垂直画サイズも含む。
【０１７１】
かかるＨＤカテゴリとＳＤカテゴリごとに、記録品質（ビットレート）に応じた複数の映像記録モード「ＨＤ３−２〜４−２、ＨＤ２−１〜４−１」、「ＳＤ１〜４」が定められている。１つの記録モードには、１つの記録形式が対応する。図１１は映像信号に特化したものだが、図１１の下段に示すように、各記録モード「ＨＤ３−２〜４−２、ＨＤ２−１〜４−１」、「ＳＤ１〜４」ごとにそれぞれ。記録時の垂直及び水平画サイズとビットレートが一意に定められている。
【０１７２】
また、図１１でも、図３と同様に、映像記録モード設定情報のテーブルにおいて、行方向のレベル１〜４は、ユーザにより選択される記録品質（録画品質）のレベルを表す。かかる記録品質のレベルが高い方が高画質録画可能な高ビットレートでの記録を表し、レベルが低い方が長時間録画可能な低ビットレートでの記録を表している。図１１の例でも、図３と同様に、４段階のレベル１〜４が設定されている。通常、ユーザは、録画時にこの記録モードのレベルを選択する。
【０１７３】
第１の実施形態では、入力ソースがデジタル放送やＩＰＴＶのストリームである場合、番組情報から入力ソースの形式情報を記録前に予め抽出することによって、ユーザの選択したレベルに対して最適な記録モードを自動的に選択していた。しかし、図１１に示す映像ソース情報の中で、垂直画サイズは番組情報に含まれているが、入力ソースの垂直画サイズが「１０８０ｉ」であるときの水平画サイズ（「１９２０」又は「１４４０」）までは、番組情報に含まれていない。
【０１７４】
よって、例えば「１０８０ｉ」の入力ソースをレベル４で記録する場合、水平画サイズ「１９２０」に対応した記録モード「ＨＤ４−２」、又は、「１４４０」に対応した記録モード「ＨＤ４−１」のいずれを選択するかは、番組情報のみからでは正しく判断できない。これは、水平画サイズまでの詳細な形式情報は、通常、ストリームをある程度デコードしてみなければわからない状況にあるからである。
【０１７５】
そこで、第２の実施形態では、ストリームを実際にデコードして得た水平画サイズの情報をデータベース化して形式ＤＢ２００として保持し、記録時には、その形式ＤＢ２００を活用して、正確に所望の記録モードを選択する。形式ＤＢ２００が構築されていれば、「１０８０ｉ」の入力ソースをレベル４で記録する場合でも、「ＨＤ４−２」又は「ＨＤ４−１」のうちのいずれの記録モードで記録すべきかを、記録実行前に予め判別可能である。つまり、図１１の例では、番組情報を用いて入力ソースの映像カテゴリ（「ＨＤカテゴリ」又は「ＳＤカテゴリ」）を判別し、ＨＤカテゴリである場合、形式ＤＢ２００を用いて入力ソースの水平画サイズ（「１９２０」又は「１４４０」）を判別する。
【０１７６】
また、図１１の例の映像記録モード設定情報では、入力ソースがＨＤカテゴリに属し、かつ、ユーザにより最低の記録品質のレベル１が選択された場合、水平画サイズにかかわらず、ＨＤ用の記録モード「ＨＤ１」の代わりに、ＳＤ用の記録モード「ＳＤ１」が選択される。これにより、ＨＤ映像に不適切な低ビットレート（例えば２Ｍｂｐｓ）での記録がユーザにより選択された場合は、ＨＤ映像信号を、低ビットレートでの記録に適したＳＤ映像の画サイズに自動的に変換して記録できる。このため、高画質のＨＤ映像信号を、当該ＨＤ映像信号に不適切な低ビットレートで記録しないようにして、記録された映像の画質破綻を防止できる。
【０１７７】
さらに、入力ソースがＨＤカテゴリに属し、かつ、ユーザにより２番目に低い記録品質のレベル２が選択された場合、形式ＤＢ２００を用いて判別可能な水平画サイズに応じて、記録時の水平画サイズを調整する。具体的には、水平画サイズが「１９２０」である場合、所定のビットレート以下（例えば４Ｍｂｐｓ）でＨＤ映像を記録すると、画像が破綻する恐れがある。そこで、入力ソースの水平画サイズが「１９２０」であり、かつ、ユーザによりレベル２が選択された場合、水平画サイズが「１９２０」用の記録モード「ＨＤ２−２」の代わりに、水平画サイズを落とした「１４４０」用の記録モード「ＨＤ２−１」が選択される。これにより、同じＨＤカテゴリ内でも、大きな水平画サイズのＨＤ映像信号を、低ビットレートでの記録に適した小さな水平画サイズに自動的に変換して記録できる。従って、水平画サイズとビットレートとの関係で、記録画像が破綻することを防止できる。
【０１７８】
次に、図１２及び図１３を参照して、本実施形態にかかる形式ＤＢ２００のデータ構造の例を説明する。図１２は、放送局単位（チャンネル単位）で構築された形式ＤＢ２００を示す説明図であり、図１３は、番組単位で構築された形式ＤＢ２００を示す説明図である。
【０１７９】
図１２に示すように、テレビジョン放送の放送局単位で形式ＤＢ２００を構築する場合、形式ＤＢ２００には、番組情報に含まれていない２つの形式情報ａ、ｂがそれぞれ放送局単位で保存される。例えば、形式情報ａが、「１０８０ｉ」方式の水平画サイズを表すとすると、形式ＤＢ２００は、放送局Ａ〜Ｅごとに、水平画サイズ「１９２０」を表す値「１」、又は、水平画サイズ「１４４０」を表す値「２」を保持する。形式ＤＢ２００は、記録装置２１０に内蔵された不揮発性メモリ（例えば、フラッシュメモリ）などに保存される。
【０１８０】
形式ＤＢ２００の各放送局の初期値としては、例えば、現状の放送状況を調査した結果得られた形式情報ａ、ｂを表す値が記憶される。この初期値の設定は、例えば、記録装置２１０の工場出荷時、又は、形式ＤＢ２００のリセット時などに行われる。そして、上述したデジタルチューナー１６等により放送局のチャンネルが選局されるたびに、形式ＤＢ２００の各放送局の形式情報ａ、ｂが随時更新される。
【０１８１】
例えば、放送局Ａの形式情報ａの初期値が、水平画サイズ「１９２０」を表す「１」に設定されていたとする。その後、放送局Ａのチャンネル選局時に、当該チャンネルのストリームを実際にデコードしてみて、映像信号の水平画サイズが「１４４０」であれば、放送局Ａの形式情報ａが「２」に更新される。なお、１つの放送局が複数のチャンネルを用いて放送している場合には、それぞれのチャンネルごとに形式情報ａ、ｂを設定してもよい。
【０１８２】
図１２に示したように、放送局単位で水平画サイズの形式ＤＢ２００を構築する方式では、同一の放送局において同一の形式のストリームで全ての番組が放送される場合には、その放送局の番組は全て同一の形式（例えば水平画サイズ）で記録すればよい。よって、形式ＤＢ２００の作成・更新処理は、比較的簡単になる。
【０１８３】
しかし、同一の放送局において異なる形式（例えば水平画サイズ）のストリームで番組が放送される場合には、図１２の形式ＤＢ２００では、実際のストリームの正しい形式を完全には予測できない事態が発生する。ただし、放送局側の機器事情を考慮すると、同一放送局では、放送されるストリームの形式は統一されるケースが多いと予想されるので、図１２のように放送局単位で形式情報ａ、ｂを保持する方式であっても、十分有効であると考えられる。
【０１８４】
このように、同一の放送局において異なる形式（例えば水平画サイズ）のストリームで番組が放送される場合に対応するために、図１３に示すような番組単位で形式ＤＢ２００を構築することができる。図１３に示すように、各放送局単位かつ番組単位で形式ＤＢ２００を構築した場合、各放送局Ａ〜Ｅの各番組単位で、番組情報に含まれない形式情報ａが保持される。このとき、同一の放送局の各番組の放送時間帯ごとに、相異なる形式情報ａの値を保持できる。図１３の例では、放送局Ｅの１９：３０より前の３つの番組は、水平画サイズが「１４４０」であるが、放送局Ｅの１９：３０以降の１つの番組は、水平画サイズが「１９２０」であることを表している。
【０１８５】
図１３に示す番組単位の形式ＤＢ２００では、例えば、1日、1週間、1ヶ月などの時間単位で、データベースの保持の仕方はいくつかのバリエーションが考えられる。現在のデジタル放送は、約1週間の番組情報を送信し、記録装置２１０等の受信機器は、当該番組情報を既に保持しているため、当該番組情報とリンクして、同等の時間単位（例えば１週間）で形式ＤＢ２００を保持することが効率的である。ただし、各放送局の膨大な番組の形式情報ａの初期値を全て調査するのは大変である。そこで、形式情報ａの初期値を番組毎に設定する代わりに、まずは放送局単位で設定して、番組単位の形式情報ａは形式ＤＢ２００を更新していく時に随時設定するという方法も考えられる。これにより、現実的に妥当な形式ＤＢ２００を構築できる。
【０１８６】
上記のように番組単位で形式ＤＢ２００を構築することで、同一の放送局において放送されるストリームの形式（水平画サイズ等）が番組ごとに変化する場合であっても、対応できる。
【０１８７】
ところで、番組単位で形式ＤＢ２００を構築するに当たり、以下の問題が生じうる。例えば１週間分の番組情報と形式ＤＢ２００を保持する場合に、番組内容に連続性がある番組（例えば、ドラマ、シリーズ番組など）につき、前回の番組を放送してから１週間後に、前回と同一の時間帯で次回の番組が放送される場合には、比較的容易に形式ＤＢ２００を構築できる。しかし、次回の番組が前回と異なる時間帯で放送されたり、同一時間帯で別の番組が放送されたりする場合には、図１３に示すような各番組の時間帯を固定した形式ＤＢ２００では、対応できないことがある。
【０１８８】
そこで、かかる場合には、各放送局の各番組の識別情報（番組ＩＤ、番組タイトル等）を用いて、番組情報ＤＢ１２０と形式ＤＢ２００との間で、番組内容に連続性がある番組を関連づけて、記録対象の番組が放送される時間帯を管理する。これにより、次回の番組が前回の番組とは異なる時間帯に放送される場合であっても、形式ＤＢ２００に保存されている当該番組の形式情報を用いて、次回の番組の記録形式を適切に決定することができる。
【０１８９】
次に、形式ＤＢ２００の更新タイミングについて説明する。図１２に示したように放送局単位で形式ＤＢ２００を構築する場合、記録装置２１０の形式ＤＢ管理部２０２は、テレビジョン放送の選局タイミング（例えば、チャンネル切り替え時）に応じて、形式ＤＢ２００の形式情報ａ、ｂを更新する。つまり、形式ＤＢ管理部２０２は、チューナー１６によるチャンネルの選局切り替えを検知すると、切り替え後のストリームをデコードして得られたデコード情報Ｃ１１に基づき、番組情報Ｃ１２に含まれない形式情報ａを判別して、必要に応じて形式ＤＢ２００を更新する。このように、チャンネル選局時に、その放送局の番組のストリームを実際にデコードすれば、そのストリームの形式、例えば、水平画サイズが「１９２０」であるか「１４４０」であるかを判別できる。よって、次回、その放送局の番組のストリームを記録するときに、上記判別した水平画サイズに適した記録モードで記録できる。
【０１９０】
また、図１３に示したように番組単位で形式ＤＢ２００を構築する場合、形式ＤＢ管理部２０２は、テレビジョン放送の選局タイミングや番組の切り替わりタイミングに応じて、形式ＤＢ２００の形式情報ａ、ｂを更新する。つまり、形式ＤＢ管理部２０２は、チューナー１６によるチャンネルの選局切り替えや、同一チャンネル内での番組の切り替わりを検知する。すると、形式ＤＢ管理部２０２は、切り替え後のストリームをデコードして得られたデコード情報Ｃ１１に基づき、番組情報Ｃ１２に含まれない形式情報ａを判別して、必要に応じて形式ＤＢ２００を更新する。このように、番組切り替わり時に、その番組のストリームを実際にデコードすれば、そのストリームの形式、例えば、水平画サイズが「１９２０」であるか「１４４０」であるかを判別できる。よって、その後に、次回の番組のストリームを記録するときに、上記判別した水平画サイズに適した記録モードで記録できる。
【０１９１】
ここで、図１４を参照して、本実施形態にかかる形式ＤＢ２００の更新フローについて説明する。図１４は、本実施形態にかかる形式ＤＢ２００の更新処理を示すフローチャートである。
【０１９２】
図１４に示すように、まず、ステップＳ１００では、形式ＤＢ管理部２０２は、形式ＤＢ２００に含まれる、番組情報から得られない形式情報（例えば水平画サイズ）の初期値を設定する。この形式情報の初期値は、例えば、現在の各放送局の放送状況（現在放送されているストリームの形式情報）に合わせて設定される。
【０１９３】
その後、基本的には、放送局（チャンネル）の選局時に（ステップＳ１０２）、入力されたストリームを実際にデコードして得た情報に基づき、そのストリームの番組情報に含まれない形式情報を取得し（ステップＳ１０４）、必要に応じて形式ＤＢ２００を更新する（ステップＳ１０６）。
【０１９４】
詳細には、形式ＤＢ管理部２０２は、デジタルチューナー１６等のチューナーにより各放送局のチャンネル（ＣＨ）が選局されたか否かを判断している（ステップＳ１０２）。ステップＳ１０２にてチャンネル選局が検出されると、選局されたチャンネルのストリームをＡＶデコーダ４０により実際にデコードし、形式ＤＢ管理部２０２は、そのデコード情報Ｃ１１から番組情報に含まれない形式情報を取得する（ステップＳ１０４）。次いで、上記Ｓ１０２でデコードして取得した形式情報が、形式ＤＢ２００に保存済みの形式情報と異なっていれば、形式ＤＢ管理部２０２は、形式ＤＢ２００を新たな形式情報で更新する（ステップＳ１０６）。
【０１９５】
上記Ｓ１０２でのチューナーによるチャンネル選局タイミングは、形式ＤＢ２００の更新処理のトリガとなるものである。このチャンネル選局は、例えば、（１）ユーザによる手動のチャンネル選局、（２）予約録画時のチャンネル選局、（３）自動チャンネル巡回によるチャンネル選局などを利用できる。
【０１９６】
（１）のユーザによる手動のチャンネル選局は、ユーザが所望のチャンネルの番組を視聴又は録画するときなどに、手動でチャンネルを選局することである。ユーザが所望のチャンネルを指定すると、チューナーによりそのチャンネルが選局され、当該チャンネルのストリームがデコードされて水平画サイズ等の形式情報が新たに取得され、形式ＤＢ２００が更新される。かかるユーザによる手動チャンネル選局を形式ＤＢ２００の更新のトリガとすることで、形式ＤＢ２００の更新対象のチャンネル及び更新タイミングが、完全にユーザの自由なチャンネル選局に任せられることになる。
【０１９７】
（２）の予約録画時のチャンネル選局は、予約録画を実行するときに、予約録画対象の番組の開始直前（例えば数秒前）に、記録装置２１０が自動的にその番組のチャンネルを選局することである。予約録画による録画処理実行時には、チューナーにより予約録画されたチャンネルが選局され、当該チャンネルのストリームがデコードされて水平画サイズ等の形式情報が新たに取得され、形式ＤＢ２００が更新される。かかる予約録画時の自動チャンネル選局を形式ＤＢ２００の更新のトリガとすることで、予約録画時に、予約録画されたチャンネル及び番組の形式情報が自動的に更新される。
【０１９８】
（３）の自動チャンネル巡回によるチャンネル選局は、記録装置２１０のチューナーが、自動的かつ定期的に各チャンネルを巡回するように選局することである。この自動チャンネル巡回は、例えば、記録装置２１０の電源オフ時に、待機状態にあるチューナーを用いて行ってもよい。或いは、複数のチューナーを搭載した記録装置２１０において、使用中のチューナー以外の空いているチューナーがあるときなどに、当該空いているチューナーを用いて自動チャンネル巡回を実行してもよい。かかる自動チャンネル巡回を形式ＤＢ２００の更新のトリガとすることで、各チャンネルの各番組の形式情報が自動的に収集されて、形式ＤＢ２００が定期的に最新の情報に更新される。
【０１９９】
図１３に示した番組単位の形式ＤＢ２００を構築する場合、以上のようなチャンネル選局時のみならず、各チャンネルにおける番組の切り替わり時にも、その切り替わり後の番組のストリームがデコードされて水平画サイズ等の形式情報が新たに取得され、形式ＤＢ２００が更新される。例えば、放送局Ａのチャンネルを選局中に、ニュース番組Ａからドラマ番組Ｂに切り替わったときには、ドラマ番組Ｂのストリームがデコードされて、水平画サイズ等の形式情報が取得される。
【０２００】
上記のようにして、チャンネル選局（Ｓ１０２）に応じて、番組情報には含まれていない形式情報が取得される（Ｓ１０４）。次いで、形式ＤＢ管理部２０２は、上記Ｓ１０４で取得した形式情報が、形式ＤＢ２００に保存済みの形式情報と異なっていれば、形式ＤＢ２００を新たな形式情報で更新する（ステップＳ１０６）。放送局単位の形式ＤＢ２００の場合は、チャンネルが選局されるたびに、新たな形式情報を取得して形式ＤＢ２００を更新する。一方、番組単位の形式ＤＢ２００の場合は、チャンネルが選局されるたびのみならず、更に番組が切り替わるたびに、新たな形式情報を取得して、形式ＤＢ２００を逐次更新する。ただし、各番組の放送時間帯を固定して管理すると、毎週同一の番組が同一時間帯に放送されることが条件となる。このため、形式ＤＢ２００と番組情報ＤＢ１２０との間で、番組ＩＤ、タイトル名などの番組情報の比較チェックを行って、番組を特定する必要がある。さらに、番組本編とＣＭ部分とで形式情報が異なる場合を考慮して、ＣＭ検出を行い、番組本編のストリームのデコード情報Ｃ１１を用いて形式ＤＢ２００を更新することで、形式ＤＢ２００の予測精度の向上につながる。
【０２０１】
以上、図１４を参照して形式ＤＢ２００の更新フローについて説明した。図１４の更新フローは、記録装置２１０自らが形式ＤＢ２００を生成及び更新するときにフローであるが、かかる例に限定されない。例えば、全く別のアプローチとして、記録装置２１０が、インターネット等を介して、番組情報にない形式情報を提供する外部サーバにアクセスして、この外部サーバから形式ＤＢ２００を取得するようにしてもよい。このように、番組情報に含まれていない形式情報を提供するサービス事業者と協力して、記録装置２１０において形式ＤＢ２００を外部から取得して更新する仕組みを構築してもよい。
【０２０２】
以上、第２の実施形態にかかる記録装置２１０及びこれを用いた記録方法について説明した。第２の実施形態によれば、上記の第１の実施形態にかかる作用効果に加えて、以下の作用効果を得ることができる。
【０２０３】
即ち、第２の実施形態では、上記のように番組情報に含まれていない形式情報（例えば、映像信号の水平画サイズ）について形式ＤＢ２００を構築する。そして、次回の放送ストリームの記録時に、この形式ＤＢ２００内の情報を用いて、記録対象のストリームの水平画サイズ等の形式を正確に判別して、最適な記録形式で記録を行うことができる。これによって、放送ストリームの形式に適した品質の高い記録が可能となる。
【０２０４】
また、記録装置２１０の動作の中で形式ＤＢ２００を逐次更新することによって、形式情報の予測精度を高く保ち、放送事情の変化にも迅速に対応可能となる。また、記録開始前に予め形式情報を判別できるので、番組本編の開始位置より少し前の位置からの記録が可能となる。従って、録画タイトルの番組の頭欠けを防止できるだけでなく、前の番組から録画目的の番組への切り替わりも録画できるので、本当に最初から番組が録画されているという安心感をユーザに与えることができる。
【０２０５】
さらに、録画タイトルの頭欠けを防止するために、番組開始から記録開始までの所定時間（例えば１０秒間）分のストリームデータを蓄積しておくための大きなバッファも不要である。このため、記録装置２１０のハードウェアを大型化させたり、レスポンスを悪化させたりすることがなく、安価な記録装置２１０を提供できる。
【０２０６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０２０７】
例えば、上記実施形態にかかる記録装置１０、２１０は、記録機能及び再生機能を有する記録再生装置として構成されていたが、本発明はかかる例に限定されない。本発明の記録装置は、例えば、記録機能のみを備えた記録専用装置として構成することもできる。
【０２０８】
また、上記実施形態では、映像と音声の双方を記録する記録装置１０、２１０について説明したが、本発明は映像又は音声のいずれか一方のみを記録する記録装置にも適用できる。
【０２０９】
また、上述した図３の映像記録モード設定情報の例では、ＨＤカテゴリとＳＤカテゴリとからなる２つの映像形式カテゴリを設定して、各映像形式カテゴリについてそれぞれ４つの映像記録モードを設定し、入力ソースの映像形式に応じて、ＨＤカテゴリとＳＤカテゴリの映像記録モードに振り分けるようにした。しかし、本発明はかかる例に限定されず、エンコード部の性能に応じて、形式カテゴリを更に細分化して設定もよい。例えば、第２の実施形態で述べたように、ＨＤカテゴリに関して、垂直方向の画サイズのみならず、水平方向の画サイズにも応じて（例えば、ＨＤ解像度の「１９２０×１０８０」と「１４４０×１０８０」とを区別して）、より細分化した形式カテゴリを設定できる。
【０２１０】
また、上記第２の実施形態では、テレビジョン放送の番組情報に含まれていない形式情報として、映像信号の水平方向の画サイズの例を挙げたが、本発明は、かかる例に限定されない。本発明の番組情報に含まれていない形式情報は、例えば、映像信号又は音声信号の形式を表す情報であって、デジタルテレビジョン放送、ＩＰＴＶ放送などの各種の放送の番組情報（電子番組情報等）に含まれていない情報であれば、任意の形式情報に適用できる。
【図面の簡単な説明】
【０２１１】
【図１】本発明の第１の実施形態にかかる記録装置の構成を示すブロック図である。
【図２】同実施形態にかかる記録装置の構成を概略的に示す機能ブロック図である。
【図３】同実施形態にかかる映像記録モード設定情報を示す説明図である。
【図４】同実施形態にかかる音声記録モード設定情報を示す説明図である。
【図５】同実施形態の変更例にかかる映像及び音声記録モード設定情報を示す説明図である。
【図６】同実施形態にかかる記録装置における記録方法を示すフローチャートである。
【図７】同実施形態にかかる記録モードを決定するタイミングを示すフローチャートである。
【図８】同実施形態にかかる記録モードの決定処理を示すフローチャートである。
【図９】同実施形態にかかる日時指定予約録画時の記録形式を示す説明図である。
【図１０】本発明の第２の実施形態にかかる記録装置の構成を概略的に示す機能ブロック図である。
【図１１】同実施形態にかかる映像記録モード設定情報の具体例を示す説明図である。
【図１２】同実施形態にかかる放送局単位で構築された形式ＤＢを示す説明図である。
【図１３】同実施形態にかかる番組単位で構築された形式ＤＢを示す説明図である。
【図１４】同実施形態にかかる形式ＤＢの更新処理を示すフローチャートである。
【符号の説明】
【０２１２】
１０    記録装置
１１    アナログチューナー
１２    Ａ／Ｄ変換器
１３    アナログ入力端子
１４    ＤＶ入力端子
１５    ＤＶデコーダ
１６    デジタルチューナー
１７    ｉ．ＬＩＮＫ端子
１８    ＵＳＢ端子
１９    通信部
２０    ＡＶエンコーダ
３０    ストリームプロセッサ
４０    ＡＶデコーダ
５０    形式変換部
５２    スケーラ
５４    オーディオプロセッサ
６０    記録部
６２    ハードディスクドライブ
６４    光ディスクドライブ
７０    グラフィック処理部
７２    ディスプレイ処理部
７４    Ｄ／Ａ変換器
８０    ＣＰＵ
８２    ＲＯＭ
８４    ＲＡＭ
８６    ユーザインタフェース
１００    番組情報管理部
１０２    予約録画部
１０４    計時部
１０６    形式判別部
１０８    記録モード決定部
１１０    記録制御部
１２２    予約録画情報
１２４    記録モード設定情報
２００    形式データベース
２０２    形式データベース管理部
２０４    形式データベース取得部
２０６    形式判別部
２１０    記録装置
Ｃ１１    デコード情報
Ｃ１２    番組情報
【図１】
2009038791.tif 000003
【図２】
2009038791.tif 000004
【図３】
2009038791.tif 000005
【図４】
2009038791.tif 000006
【図５】
2009038791.tif 000007
【図６】
2009038791.tif 000008
【図７】
2009038791.tif 000009
【図８】
2009038791.tif 000010
【図９】
2009038791.tif 000011
【図１０】
2009038791.tif 000012
【図１１】
2009038791.tif 000013
【図１２】
2009038791.tif 000014
【図１３】
2009038791.tif 000015
【図１４】
2009038791.tif 000016